(57)【特許請求の範囲】
【請求項１】
一の垂直同期信号から次の垂直同期信号までの区間から、水平帰線区間および垂直帰線区間を除いた区間である有効画像区間において、非圧縮の１画面分の画像の画素データを、第１の差動信号により、受信装置に一方向に送信するデータ送信部と、
送信するデータであって上記画素データとは異なる第２の差動信号を、第１の信号線および第２の信号線の一対からなる差動伝送路を介して上記受信装置に送信する信号送信部と、
上記受信装置から上記第１の信号線および上記第２の信号線を介して送信された第３の差動信号を受信する、上記信号送信部と接続された信号受信部と、
上記信号受信部が受信した信号から、上記第２の差動信号を減算する減算部と、
ＣＥＣ制御プロトコルのReport Physical Addressにより、上記受信装置に、物理アドレスと論理アドレスを送信するアドレス送信部とを備える
送信装置。
【請求項２】
一の垂直同期信号から次の垂直同期信号までの区間から、水平帰線区間および垂直帰線区間を除いた区間である有効画像区間において、非圧縮の１画面分の画像の画素データを、第１の差動信号により、受信装置に一方向に送信する送信装置における情報処理方法であって、
送信するデータであって上記画素データとは異なる第２の差動信号を、第１の信号線および第２の信号線の一対からなる差動伝送路を介して信号送信部が上記受信装置に送信し、
上記受信装置から、上記第１の信号線および上記第２の信号線を介して送信された第３の差動信号を上記信号送信部と接続された信号受信部が受信し、
上記信号受信部が受信した信号から、上記第２の差動信号を減算部が減算するステップと、
ＣＥＣ制御プロトコルのReport Physical Addressにより、上記受信装置に、物理アドレスと論理アドレスを送信するステップとを含む
情報処理方法。
【発明の詳細な説明】
【技術分野】
【０００１】
この発明は、送信装置および情報処理方法に関する。
【背景技術】
【０００２】
近年、例えば、ＤＶＤ(Digital Versatile Disc)レコーダや、セットトップボックス、その他のＡＶソース（Audio Visual source）から、テレビ受信機、プロジェクタ、その他のディスプレイに対して、デジタル映像信号と、その映像信号に付随するデジタル音声信号とを、高速に伝送する通信インタフェースとして、ＨＤＭＩ(High Definition Multimedia Interface)が普及しつつある。例えば、特許文献１には、ＨＤＭＩ規格の詳細についての記載がある。
【０００３】
また、近年、テレビ受信機のリモコン送信機で、テレビ受信機に接続されている電子機器を制御できるＣＥＣ（Consumer Electronics Control）の採用が活発化している。これは、ＨＤＭＩの信号に、ＣＥＣ制御信号線が一つ追加されたものである。
【０００４】
図２４は、従来のＡＶシステム２００の構成例を示している。このＡＶ(Audio Visual)システム２００は、ソース機器としてのディスクレコーダ２１０と、ソース機器としてのフォトプレーヤ３７０と、シンク機器としてのテレビ受信機２５０とを有している。
【０００５】
フォトプレーヤ３７０およびテレビ受信機２５０は、ＨＤＭＩケーブル３９１を介して接続されている。すなわち、ＨＤＭＩケーブル３９１の一端はフォトプレーヤ３７０のＨＤＭＩ端子３７１に接続され、その他端はテレビ受信機２５０のＨＤＭＩ端子２５１に接続されている。
【０００６】
ディスクレコーダ２１０およびテレビ受信機２５０は、ＨＤＭＩケーブル３９２を介して接続されている。すなわち、ＨＤＭＩケーブル３９２の一端はディスクレコーダ２１０のＨＤＭＩ端子２１１に接続され、その他端はテレビ受信機２５０のＨＤＭＩ端子２５４に接続されている。
【０００７】
テレビ受信機２５０は、ＣＥＣ対応機器であり、リモコン送信機２７７からの赤外線のリモートコントロール信号を受信する赤外線受信部（ＩＲ受信部）２７６を有している。また、ディスクレコーダ２１０およびフォトプレーヤ３７０も、ＣＥＣ対応機器である。
【０００８】
図２４に示すＡＶシステム２００においては、ディスクレコーダ２１０およびフォトプレーヤ３７０が共にＣＥＣ対応機器である。そのため、テレビ受信器２５０のリモコン送信機２７７を用いて、ディスクレコーダ２１０およびフォトプレーヤ３７０の動作を制御できる。
【０００９】
図２５は、テレビ受信機２５０に、フォトプレーヤ３７０およびディスクレコーダ２１０が接続される際の動作シーケンスの一例を示している。
【００１０】
（ａ）テレビ受信機２５０にＨＤＭＩケーブル３９１を介してフォトプレーヤ３７０が接続されると、（ｂ）フォトプレーヤ３７０は、ＨＤＭＩ制御プロトコルを使用して、テレビ受信機２５０から物理アドレス（Physical Address）[1000]を取得する。
【００１１】
ＣＥＣ対応機器は、ＨＤＭＩ接続時に、論理アドレス（Logical Address）を取得するように規定されている。ＣＥＣ対応機器は、この論理アドレスを用いて、メッセージの送受信を行う。図２６は、デバイスとＣＥＣ論理アドレスの対応関係を示すＣＥＣテーブルを示している。
【００１２】
デバイスの「ＴＶ」はテレビ、プロジェクタ等である。デバイスの「Recording Device」はＨＤＤレコーダ等である。デバイスの「Tuner」はＳＴＢ（Set Top Box）等である。デバイスの「Playback Device」はＤＶＤプレーヤ、カムコーダ等である。デバイスの「Audio System」はＡＶアンプ等である。
【００１３】
図２６のテーブルから明らかなように、一度に接続できる各デバイスの数は決まっている。規定以上の機器が接続された場合には、それらの機器の論理アドレスは｛１５｝となる。
【００１４】
図２５に戻って、（ｃ）フォトプレーヤ３７０は、自身が再生機器であることから、図２６のテーブルに基づいて、ＣＥＣ制御機器のPlayback Deviceとして論理アドレス｛４｝を決定する。この場合、フォトプレーヤ３７０は、ＣＥＣ制御プロトコルのPolling Messageで他の機器にこの論理アドレス｛４｝を持つ機器が存在しないことを認識した後に、当該論理アドレス｛４｝を自身の論理アドレスとして決定する。
【００１５】
（ｄ）フォトプレーヤ３７０は、上述したように論理アドレス｛４｝を決定した後、ＣＥＣ制御プロトコルのReport Physical Addressにより、物理アドレス[1000]は、ＣＥＣ対応機器｛４｝であることを、テレビ受信機２５０に通知する。
【００１６】
（ｅ）テレビ受信機２５０にＨＤＭＩケーブル３９２を介してディスクレコーダ２１０が接続されると、（ｆ）ディスクレコーダ２１０は、ＨＤＭＩ制御プロトコルを使用して、テレビ受信機２５０から物理アドレス（Physical Address）[2000]を取得する。
【００１７】
（ｇ）ディスクレコーダ２１０は、自身が記録機器であることから、図２６のテーブルに基づいて、ＣＥＣ制御機器のRecording Deviceとして論理アドレス｛１｝を決定する。この場合、ディスクレコーダ２１０は、ＣＥＣ制御プロトコルのPolling Messageで他の機器にこの論理アドレス｛１｝を持つ機器が存在しないことを認識した後に、当該論理アドレス｛１｝を自身の論理アドレスとして決定する。
【００１８】
（ｈ）ディスクレコーダ２１０は、上述したように論理アドレス｛１｝を決定した後、ＣＥＣ制御プロトコルのReport Physical Addressにより、物理アドレス[2000]は、ＣＥＣ対応機器｛１｝であることを、テレビ受信機２５０に通知する。
【００１９】
図２７は、テレビ受信機２５０のリモコン送信機２７７で、フォトプレーヤ３７０およびディスクレコーダ２１０の再生制御を行う際の動作シーケンスの一例を示している。
【００２０】
（ａ）テレビ受信機２５０のリモコン送信機２７７でユーザがフォトプレーヤ３７０への入力切り替えを行ったとき、（ｂ）テレビ受信機２５０は、ＣＥＣ制御プロトコルで、入力がテレビ受信機２５０からフォトプレーヤ３７０に切り替わったことを、SetStreamPath[0000]→[1000]で、接続されているＣＥＣ対応機器に通知する。
【００２１】
（ｃ）物理アドレス[1000]のフォトプレーヤ３７０は、この通知を検出し、ＣＥＣの制御がフォトプレーヤ３７０に移ったことを、接続されているＣＥＣ対応機器に、ActiveSource{４}→{Ｆ}で通知する。（ｄ）これにより、テレビ受信機２５０は、リモコン送信先をフォトプレーヤ３７０に切り替える。
【００２２】
（ｅ）テレビ受信機２５０のリモコン送信機２７７でユーザが再生キーを押したとき、（ｆ）テレビ受信機２５０は、ＣＥＣ制御プロトコルで、UserControlPressed:PB{４}を、接続されているＣＥＣ対応機器に通知する。（ｇ）論理アドレス｛４｝のフォトプレーヤ３７０は、この通知を検出し、フラッシュメモリの画像を再生し、再生出力を、ＨＤＭＩケーブル３９１を介して、テレビ受信機２５０に送る。
【００２３】
次に、(ｈ)テレビ受信機２５０のリモコン送信機２７７でユーザがディスクレコーダ２１０への入力切り替えを行ったとき、（ｉ）テレビ受信機２５０は、ＣＥＣ制御プロトコルで、入力がフォトプレーヤ３７０からディスクレコーダ２１０に切り替わったことを、SetStreamPath[1000]→[2000]で、接続されているＣＥＣ対応機器に通知する。
【００２４】
（ｊ）物理アドレス[2000]のディスクレコーダ２１０は、この通知を検出し、ＣＥＣの制御がディスクレコーダ２１０に移ったことを、接続されているＣＥＣ対応機器に、ActiveSource{１}→{Ｆ}で通知する。（ｋ）これにより、テレビ受信機２５０は、リモコン送信先をディスクレコーダ２１０に切り替える。
【００２５】
（ｍ）テレビ受信機２５０のリモコン送信機２７７でユーザが再生キーを押したとき、（ｎ）テレビ受信機２５０は、ＣＥＣ制御プロトコルで、UserControlPressed:PB{１}を、接続されているＣＥＣ対応機器に通知する。（ｐ）論理アドレス｛１｝のディスクレコーダ２１０は、この通知を検出し、ディスクに記録されている画像を再生し、再生出力を、ＨＤＭＩケーブル３９２を介して、テレビ受信機２５０に送る。
【００２６】
図２８は、フォトプレーヤ３７０の構成例を示している。このフォトプレーヤ３７０は、ＨＤＭＩ端子３７１と、ＨＤＭＩ送信部３７２と、ＣＰＵ（Central Processing Unit）３７４と、ＲＯＭ（Read Only Memory）３７５と、ＲＡＭ（Random Access Memory）３７６と、バス３７７と、外部メモリインタフェース３７８と、信号処理ＬＳＩ３７９とを有している。
【００２７】
このフォトプレーヤ３７０において、ＣＰＵ３７４、ＲＯＭ３７５、ＲＡＭ３７６は、バス３７７により相互に接続されている。ＣＰＵ３７４は、フォトプレーヤ３７０の各部の動作を制御する。ＲＯＭ３７５には、ＣＰＵ３７４の動作プログラム等が記憶されている。ＲＡＭ３７５は、ＣＰＵ３７４のワークエリア等として使用される。ＣＰＵ３７４は、ＲＯＭから動作プログラムを読み出してＲＡＭ上で展開することで、制御動作を実行する。
【００２８】
バス３７７には、さらに、外部メモリインタフェース３７８と、信号処理ＬＳＩ３７９が接続されている。外部メモリインタフェース３７８は、フラッシュメモリ３８０の装填部を備えている。この外部メモリインタフェース３７８は、ＣＰＵ３７４の制御のもと、装填されたフラッシュメモリ３８０から静止画データを読み出す。例えば、外部メモリインタフェース３７８はメモリカードドライブであり、フラッシュメモリ３８０はメモリカードである。
【００２９】
上述したようにフラッシュメモリ３８０から読み出される静止画データはＪＰＥＧ等の圧縮符号化データである。信号処理ＬＳＩ３７９は、フラッシュメモリ３８０から読み出された静止画データに対して伸長処理を施して、ベースバンドの映像信号（画像データ）を得る。ＨＤＭＩ送信部３７２は、ＨＤＭＩに準拠した通信により、信号処理ＬＳＩで得られるベースバンドの映像信号を、ＨＤＭＩ端子３７１から送出する。
【００３０】
図２８に示すフォトプレーヤ３７０において、テレビ受信機２５０からＨＤＭＩケーブル３９１のＣＥＣラインを介して供給されるＣＥＣ制御コマンド、図２９に破線で示すように、ＨＤＭＩ送信部３７２からＣＰＵ３７４を介してＲＡＭ３７６に供給され、当該ＲＡＭ３７６に一時的に保持される。ＣＰＵ３７４は、ＲＡＭ３７６に保持されているＣＥＣ制御コマンドを読み出して解釈する。
【００３１】
ＣＥＣ制御コマンドが再生コマンドであるとき、ＣＰＵ３７４の制御のもと、外部メモリインタフェース３７８で、装填されているフラッシュメモリ３８０から静止画データの読み出しが行われる。フラッシュメモリ３８０から読み出された静止画データは、図３０に破線で示すように、外部メモリインタフェース３７８からバス３７７を介してＲＡＭ３７６に供給され、当該ＲＡＭ３７６に一時的に保持される。
【００３２】
その後、ＲＡＭ３７６に保持されている静止画データは、図３０に破線で示すように、当該ＲＡＭ３７６から読み出されて信号処理ＬＳＩ３７９に供給される。この信号処理ＬＳＩ３７９では、ＲＡＭ３７６から供給された静止画データに対して伸長処理が施され、ベースバンドの映像信号（画像データ）が得られる。このベースバンドの映像信号はＨＤＭＩ送信部３７２に供給され、ＨＤＭＩ端子３７１に接続されたＨＤＭＩケーブル３９１に送出される。
【００３３】
上述したように、図２４に示すＡＶシステム２００においては、ディスクレコーダ２１０およびフォトプレーヤ３７０が共にＣＥＣ対応機器であることから、テレビ受信器２５０のリモコン送信機２７７を用いて、ディスクレコーダ２１０およびフォトプレーヤ３７０の動作を制御できる。
【００３４】
これに対して、図３１に示すＡＶシステム２００Ａも考えられる。この図３１において、図２４と対応する部分には同一符号を付して示している。このＡＶシステム２００Ａは、図２４に示すＡＶシステム２００におけるディスクレコーダ２１０の代わりに、ディスクレコーダ２１０Ａが、ＨＤＭＩケーブル３９２を介してテレビ受信機２５０に接続されている。
【００３５】
ディスクレコーダ２１０ＡはＣＥＣ非対応機器である。そのため、テレビ受信機２５０にＨＤＭＩケーブル３９２を介してディスクレコーダ２１０Ａが接続されるとき、ディスクレコーダ２１０Ａは、ＨＤＭＩ制御プロトコルを使用して、テレビ受信機２５０から物理アドレス（Physical Address）[2000]を取得するが、ＣＥＣ論理アドレスの取得は行わない。
【００３６】
このＡＶシステム２００Ａにおいては、フォトプレーヤ３７０はＣＥＣ対応機器であることから、テレビ受信器２５０のリモコン送信機２７７を用いて、その動作を制御できる。しかし、ディスクレコーダ２１０ＡはＣＥＣ非対応機器であることから、テレビ受信器２５０のリモコン送信機２７７を用いて、その動作を制御できない。
【００３７】
そのため、このＡＶシステム２００Ａにおいて、ディスクレコーダ２１０Ａの動作は、ディスクレコーダ２１０Ａが有する赤外線受信部２３１を利用し、ディスクレコーダ２１０Ａのリモコン送信機２３２を利用して行われる。
【先行技術文献】
【特許文献】
【００３８】
【特許文献１】ＷＯ２００２／０７８３３６号公報
【発明の開示】
【発明が解決しようとする課題】
【００３９】
上述の図３１のＡＶシステム２００Ａのように、テレビ受信機２５０にＨＤＭＩケーブルで接続されている機器のうち、ＣＥＣ非対応機器に関しては、テレビ受信機２５０のリモコン送信機２７７を用いた動作制御を行うことができない。しかし、このＣＥＣ非対応機器に関しても、テレビ受信機２５０のリモコン送信機２７７を用いて動作制御を行うことができれば、便利である。
【００４０】
この発明の目的は、受信装置との間における通信を良好に行い得るようにすることにある。
【課題を解決するための手段】
【００４１】
この発明の概念は、
一の垂直同期信号から次の垂直同期信号までの区間から、水平帰線区間および垂直帰線区間を除いた区間である有効画像区間において、非圧縮の１画面分の画像の画素データを、第１の差動信号により、受信装置に一方向に送信するデータ送信部と、
送信するデータであって上記画素データとは異なる第２の差動信号を、第１の信号線および第２の信号線の一対からなる差動伝送路を介して上記受信装置に送信する信号送信部と、
上記受信装置から上記第１の信号線および上記第２の信号線を介して送信された第３の差動信号を受信する、上記信号送信部と接続された信号受信部と、
上記信号受信部が受信した信号から、上記第２の差動信号を減算する減算部と、
ＣＥＣ制御プロトコルのReport Physical Addressにより、上記受信装置に、物理アドレスと論理アドレスを送信するアドレス送信部とを備える
送信装置にある。
【００４２】
また、この発明の概念は、
一の垂直同期信号から次の垂直同期信号までの区間から、水平帰線区間および垂直帰線区間を除いた区間である有効画像区間において、非圧縮の１画面分の画像の画素データを、第１の差動信号により、受信装置に一方向に送信する送信装置における情報処理方法であって、
送信するデータであって上記画素データとは異なる第２の差動信号を、第１の信号線および第２の信号線の一対からなる差動伝送路を介して信号送信部が上記受信装置に送信し、
上記受信装置から、上記第１の信号線および上記第２の信号線を介して送信された第３の差動信号を上記信号送信部と接続された信号受信部が受信し、
上記信号受信部が受信した信号から、上記第２の差動信号を減算部が減算するステップと、
ＣＥＣ制御プロトコルのReport Physical Addressにより、上記受信装置に、物理アドレスと論理アドレスを送信するステップとを含む
情報処理方法にある。
【発明の効果】
【００４３】
この発明によれば、受信装置との間における通信を良好に行うことができる。
【図面の簡単な説明】
【００４４】
【図１】この発明の実施の形態としてのＡＶシステムの構成例を示すブロック図である。
【図２】ＡＶシステムを構成するフォトプレーヤ（ソース機器）の構成例を示すブロック図である。
【図３】ＡＶシステムを構成するディスクレコーダ（ソース機器）の構成例を示すブロック図である。
【図４】ＡＶシステムを構成するテレビ受信機（シンク機器）の構成例を示すブロック図である。
【図５】ＨＤＭＩ送信部（ＨＤＭＩソース）とＨＤＭＩ受信部（ＨＤＭＩシンク）の構成例を示すブロック図である。
【図６】ＨＤＭＩトランスミッタとＨＤＭＩレシーバの構成例を示すブロック図である。
【図７】ＴＭＤＳ伝送データの構造を示す図である。
【図８】ＨＤＭＩ端子のピン配列（タイプＡ）を示す図である。
【図９】ソース機器およびシンク機器の高速データラインインタフェースの構成例を示す接続図である。
【図１０】テレビ受信機に、フォトプレーヤおよびディスクレコーダが接続される際の動作シーケンスの一例を示す図である。
【図１１】テレビ受信機のリモコン送信機で、フォトプレーヤおよびディスクレコーダの再生制御を行う際の動作シーケンスの一例を示す図である。
【図１２】テレビ受信機のリモコン送信器を使用した、ディスクレコーダの再生制御の経路を示す図である。
【図１３】フォトプレーヤ内の再生制御の経路を示す図である。
【図１４】フォトプレーヤからディスクレコーダに、ＨＤＭＩケーブルの所定ラインにより構成される双方向通信路を介して、制御信号を送信する例を示す図である。
【図１５】この発明の他の実施の形態としてのＡＶシステムの構成例を示すブロック図である。
【図１６】テレビ受信機におけるリモコンコントロールのユーザ設定時の表示例を示す図である。
【図１７】この発明の他の実施の形態としてのＡＶシステムの構成例を示すブロック図である。
【図１８】ＡＶシステムを構成するＡＶアンプ（リピータ機器）の構成例を示す図である。
【図１９】テレビ受信機にＡＶアンプが接続され、さらに、このＡＶアンプにフォトプレーヤおよびディスクレコーダが接続される際の動作シーケンスの一例を示す図である。
【図２０】ＡＶアンプにおけるユーザ設定時の表示例を示す図である。
【図２１】テレビ受信機のリモコン送信機で、フォトプレーヤおよびディスクレコーダの再生制御を行う際の動作シーケンスの一例を示す図である。
【図２２】テレビ受信機のリモコン送信機を使用した、ディスクレコーダの再生制御の経路を示す図である。
【図２３】ＡＶアンプからディスクレコーダに、ＨＤＭＩケーブルの所定ラインにより構成される双方向通信路を介して、制御信号を送信する例を示す図である。
【図２４】従来のＡＶシステムの構成例を示すブロック図である。
【図２５】テレビ受信機に、フォトプレーヤおよびディスクレコーダが接続される際の動作シーケンスの一例を示す図である。
【図２６】デバイスとＣＥＣ論理アドレスの対応関係を示すＣＥＣテーブルを示す図である。
【図２７】テレビ受信機のリモコン送信機で、フォトプレーヤおよびディスクレコーダの再生制御を行う際の動作シーケンスの一例を示す図である。
【図２８】フォトプレーヤの構成例を示すブロック図である。
【図２９】ＣＥＣ制御コマンドの受信時におけるフォトプレーヤの動作を説明するための図である。
【図３０】静止画データの読み出し時におけるフォトプレーヤの動作を説明するための図である。
【図３１】従来のＡＶシステムの他の構成例を示すブロック図である。
【発明を実施するための形態】
【００４５】
以下、図面を参照しながら、この発明の実施の形態について説明する。図１は、実施の形態としてのＡＶシステム１００の構成例を示している。
【００４６】
このＡＶシステム１００は、テレビ受信機２５０Ｂと、フォトプレーヤ３７０Ｂと、ディスクレコーダ２１０Ｂとを有している。フォトプレーヤ３７０Ｂおよびディスクレコーダ２１０Ｂは、ＨＤＭＩのソース機器を構成している。テレビ受信機２５０Ｂは、ＨＤＭＩのシンク機器を構成している。
【００４７】
フォトプレーヤ３７０Ｂおよびテレビ受信機２５０Ｂは、ＨＤＭＩケーブル３９１を介して接続されている。フォトプレーヤ３７０Ｂには、ＨＤＭＩ送信部（ＨＤＭＩ ＴＸ）３７２および高速データラインインタフェース３７３が接続されたＨＤＭＩ端子３７１が設けられている。テレビ受信機２５０Ｂには、ＨＤＭＩ受信部（ＨＤＭＩ ＲＸ）２５２および高速データラインインタフェース２５３が接続されたＨＤＭＩ端子２５１が設けられている。ＨＤＭＩケーブル３９１の一端はフォトプレーヤ３７０ＢのＨＤＭＩ端子３７１に接続され、このＨＤＭＩケーブル３９１の他端はテレビ受信機２５０ＢのＨＤＭＩ端子２５１に接続されている。
【００４８】
また、ディスクレコーダ２１０Ｂおよびテレビ受信機２５０Ｂは、ＨＤＭＩケーブル３９２を介して接続されている。ディスクレコーダ２１０Ｂには、ＨＤＭＩ送信部（ＨＤＭＩ ＴＸ）２１２および高速データラインインタフェース２１３が接続されたＨＤＭＩ端子２１１が設けられている。テレビ受信機２５０Ｂには、ＨＤＭＩ受信部（ＨＤＭＩ ＲＸ）２５５および高速データラインインタフェース２５６が接続されたＨＤＭＩ端子２５４が設けられている。ＨＤＭＩケーブル３９２の一端はディスクレコーダ２１０ＢのＨＤＭＩ端子２１１に接続され、このＨＤＭＩケーブル３９２の他端はテレビ受信機２５０ＢのＨＤＭＩ端子２５４に接続されている。
【００４９】
テレビ受信機２５０Ｂは、ＣＥＣ対応機器であり、リモコン送信機２７７からの赤外線のリモートコントロール信号を受信する赤外線受信部（ＩＲ受信部）２７６を有している。また、フォトプレーヤ３７０ＢはＣＥＣ対応機器であり、赤外線信号を送信する赤外線送信部３８４を有している。また、ディスクレコーダ２１０Ｂは、ＣＥＣ非対応機器であり、赤外線信号を受信する赤外線受信部２３１を有している。
【００５０】
図１に示すＡＶシステム１００において、フォトプレーヤ３７０Ｂで再生された映像信号（画像データ）は、ＨＤＭＩケーブル３９１を介してテレビ受信機２５０Ｂに供給され、当該テレビ受信機２５０Ｂにおいて再生画像が表示される。また、図１に示すＡＶシステム１００において、ディスクレコーダ２１０Ｂで再生された映像信号（画像データ）は、ＨＤＭＩケーブル３９２を介してテレビ受信機２５０Ｂに供給され、当該テレビ受信機２５０Ｂにおいて再生画像が表示される。
【００５１】
図２は、フォトプレーヤ３７０Ｂの構成例を示している。このフォトプレーヤ３７０Ｂは、ＨＤＭＩ端子３７１と、ＨＤＭＩ送信部３７２と、高速データラインインタフェース３７３と、ＣＰＵ（Central Processing Unit）３７４と、ＲＯＭ（Read Only Memory）３７５と、ＲＡＭ（Random Access Memory）３７６と、バス３７７と、外部メモリインタフェース３７８と、信号処理ＬＳＩ３７９と、イーサネットインタフェース（Ethernet I/F）３８１と、ネットワーク端子３８２と、赤外線送信回路３８３と、赤外線送信部３８４とを有している。なお、「イーサネット」および「Ｅｔｈｅｒｎｅｔ」は登録商標である。
【００５２】
このフォトプレーヤ３７０Ｂにおいて、ＣＰＵ３７４、ＲＯＭ３７５、ＲＡＭ３７６は、バス３７７により相互に接続されている。ＣＰＵ３７４は、フォトプレーヤ３７０Ｂの各部の動作を制御する。ＲＯＭ３７５には、ＣＰＵ３７４の動作プログラム等が記憶されている。ＲＡＭ３７６は、ＣＰＵ３７４のワークエリア等として使用される。ＣＰＵ３７４は、ＲＯＭから動作プログラムを読み出してＲＡＭ上で展開することで、制御動作を実行する。
【００５３】
バス３７７には、さらに、外部メモリインタフェース３７８と、信号処理ＬＳＩ３７９と、イーサネットインタフェース３８１と、赤外線送信回路３８３とが接続されている。外部メモリインタフェース３７８は、フラッシュメモリ３８０の装填部を備えている。この外部メモリインタフェース３７８は、ＣＰＵ３７４の制御のもと、装填されたフラッシュメモリ３８０から静止画データを読み出す。例えば、外部メモリインタフェース３７８はメモリカードドライブであり、フラッシュメモリ３８０はメモリカードである。
【００５４】
上述したようにフラッシュメモリ３８０から読み出される静止画データはＪＰＥＧ等の圧縮符号化データである。信号処理ＬＳＩ３７９は、フラッシュメモリ３８０から読み出された静止画データに対して伸長処理を施して、ベースバンドの映像信号（画像データ）を得る。
【００５５】
赤外線送信回路３８３は、ＣＰＵ３７４の制御のもと、赤外線送信部３８４を駆動して、赤外線信号を発生させる。赤外線送信部３８４は、例えば、赤外線発光素子により構成されている。
【００５６】
ＨＤＭＩ送信部（ＨＤＭＩソース）３７２は、ＨＤＭＩに準拠した通信により、ベースバンドの映像信号（画像データ）を、ＨＤＭＩ端子３７１から送出する。このＨＤＭＩ送信部３７２の詳細は後述する。高速データラインインタフェース３７３は、ＨＤＭＩケーブルを構成する所定ライン（この実施の形態においては、リザーブライン、ＨＰＤライン）を用いた双方向通信のインタフェースである。この高速データラインインタフェース３７３の詳細は後述する。
【００５７】
この高速データラインインタフェース３７３は、イーサネットインタフェース３８１を介して、バス３７７に接続されている。また、このイーサネットインタフェース３８１にはネットワーク端子３８２が接続されている。
【００５８】
図２に示すフォトプレーヤ３７０Ｂの動作を簡単に説明する。フラッシュメモリ３８０に書き込まれている静止画データの再生時には、以下のような動作となる。すなわち、外部メモリインタフェース３７８で、装填されているフラッシュメモリ３８０から静止画データの読み出しが行われる。フラッシュメモリ３８０から読み出された静止画データは、外部メモリインタフェース３７８からバス３７７を介してＲＡＭ３７６に供給され、当該ＲＡＭ３７６に一時的に保持される。
【００５９】
その後、ＲＡＭ３７６に保持されている静止画データは、当該ＲＡＭ３７６から読み出されて信号処理ＬＳＩ３７９に供給される。この信号処理ＬＳＩ３７９では、ＲＡＭ３７６から供給された静止画データに対して伸長処理が施され、ベースバンドの映像信号（画像データ）が得られる。このベースバンドの映像信号はＨＤＭＩ送信部３７２に供給され、ＨＤＭＩ端子３７１に送出される。
【００６０】
ＲＡＭ３７６に保持されている静止画データを、ネットワークに送出する際には、以下のような動作となる。すなわち、外部メモリインタフェース３７８で、装填されているフラッシュメモリ３８０から静止画データの読み出しが行われる。フラッシュメモリ３８０から読み出された静止画データは、外部メモリインタフェース３７８からバス３７７を介してＲＡＭ３７６に供給され、当該ＲＡＭ３７６に一時的に保持される。
【００６１】
その後、ＲＡＭ３７６に保持されている静止画データは、当該ＲＡＭ３７６から読み出されてＩＰパケット化され、イーサネットインタフェース３８１を介してネットワーク端子３８２、あるいは、イーサネットインタフェース３８１および高速データラインインタフェース３７３を通じてＨＤＭＩ端子３７１に出力される。
【００６２】
図３は、ディスクレコーダ２１０Ｂの構成例を示している。このディスクレコーダ２１０Ｂは、ＨＤＭＩ端子２１１と、ＨＤＭＩ送信部２１２と、高速データラインインタフェース２１３と、アンテナ端子２１４と、デジタルチューナ２１５と、デマルチプレクサ２１６と、内部バス２１７と、記録部インタフェース２１８と、ＤＶＤ／ＢＤドライブ２１９と、ＨＤＤ(Hard Disk Drive)２２０と、ＣＰＵ(Central Processing Unit)２２１と、フラッシュＲＯＭ(Read Only Memory)２２２と、ＤＲＡＭ(Dynamic Random Access Memory)２２３と、イーサネットインタフェース（Ethernet I/F）２２４と、ネットワーク端子２２５と、ＤＴＣＰ(Digital Transmission Content Protection)回路２２６と、ＭＰＥＧデコーダ２２７と、グラフィック生成回路２２８と、映像出力端子２２９と、音声出力端子２３０と、赤外線受信部２３１を有している。
【００６３】
ＨＤＭＩ送信部（ＨＤＭＩソース）２１２は、ＨＤＭＩに準拠した通信により、ベースバンドの映像と音声のデータを、ＨＤＭＩ端子２１１から送出する。このＨＤＭＩ送信部２１２の詳細は後述する。高速データラインインタフェース２１３は、ＨＤＭＩケーブルを構成する所定ライン（この実施の形態においては、リザーブライン、ＨＰＤライン）を用いた双方向通信のインタフェースである。この高速データラインインタフェース２１３の詳細は後述する。
【００６４】
アンテナ端子２１４は、受信アンテナ（図示しない）で受信されたテレビ放送信号を入力する端子である。デジタルチューナ２１５は、アンテナ端子２１４に入力されるテレビ放送信号を処理して、所定のトランスポートストリームを出力する。デマルチプレクサ２１６は、デジタルチューナ２１５で得られたトランスポートストリームから、所定の選択チャネルに対応した、パーシャルＴＳ（Transport Stream）（映像データのＴＳパケット、音声データのＴＳパケット）を抽出する。
【００６５】
また、デマルチプレクサ２１６は、デジタルチューナ２１５で得られたトランスポートストリームから、ＰＳＩ／ＳＩ(Program Specific Information/Service Information)を取り出し、ＣＰＵ２２１に出力する。デジタルチューナ２１５で得られたトランスポートストリームには複数のチャネルが多重化されている。デマルチプレクサ２１６で、当該トランスポートストリームから任意のチャネルのパーシャルＴＳを抽出する処理は、ＰＳＩ／ＳＩ（ＰＡＴ／ＰＭＴ）から当該任意のチャネルのパケットＩＤ（ＰＩＤ）の情報を得ることで可能となる。
【００６６】
ＣＰＵ２２１、フラッシュＲＯＭ２２２、ＤＲＡＭ２２３、デマルチプレクサ２１６、イーサネットインタフェース２２４、および記録部インタフェース２１８は、内部バス２１７に接続されている。ＤＶＤ／ＢＤドライブ２１９およびＨＤＤ２２０は、記録部インタフェース２１８を介して内部バス２１７に接続されている。ＤＶＤ／ＢＤドライブ２１９およびＨＤＤ２２０は、デマルチプレクサ２１６で抽出されたパーシャルＴＳを記録する。また、ＤＶＤ／ＢＤドライブ２１９およびＨＤＤ２２０は、それぞれ、記録媒体に記録されているパーシャルＴＳを再生する。
【００６７】
ＭＰＥＧデコーダ２２７は、デマルチプレクサ２１６で抽出された、あるいは、ＤＶＤ／ＢＤドライブ２１９またはＨＤＤ２２０で再生されたパーシャルＴＳを構成する映像ＰＥＳパケットに対してデコード処理を行って映像データを得る。また、ＭＰＥＧデコーダ２２７は、当該パーシャルＴＳを構成する音声ＰＥＳパケットに対してデコード処理を行って音声データを得る。
【００６８】
グラフィック生成回路２２８は、ＭＰＥＧデコーダ２２７で得られた映像データに対して、必要に応じてグラフィックスデータの重畳処理等を行う。映像出力端子２２９は、グラフィック生成回路２２８から出力される映像データを出力する。音声出力端子２３０は、ＭＰＥＧデコーダ２２７で得られた音声データを出力する。
【００６９】
ＤＴＣＰ回路２２６は、デマルチプレクサ２１６で抽出されたパーシャルＴＳ、あるいはＤＶＤ／ＢＤドライブ２１９またはＨＤＤ２２０で再生されたパーシャルＴＳを、必要に応じて暗号化する。また、ＤＴＣＰ回路２２６は、ネットワーク端子２２５あるいは高速データラインインタフェース２１３からイーサネットインタフェース２２４に供給される暗号化データを復号する。
【００７０】
ＣＰＵ２２１は、ディスクレコーダ２１０Ｂの各部の動作を制御する。フラッシュＲＯＭ２２２は、制御ソフトウェアの格納およびデータの保管を行う。ＤＲＡＭ２２３は、ＣＰＵ２２１のワークエリアを構成する。ＣＰＵ２２１は、フラッシュＲＯＭ２２２から読み出したソフトウェアやデータをＤＲＡＭ２２３上に展開してソフトウェアを起動させ、ディスクレコーダ２１０Ｂの各部を制御する。
【００７１】
赤外線受信部２３１は、後述するように、フォトプレーヤ３７０の赤外線送信部３８４から送信されてくる赤外線信号を受信する。
【００７２】
図３に示すディスクレコーダ２１０Ｂの動作を簡単に説明する。
【００７３】
アンテナ端子２１４に入力されるテレビ放送信号はデジタルチューナ２１５に供給される。このデジタルチューナ２１５では、テレビ放送信号を処理して、所定のトランスポートストリームが取り出され、当該所定のトランスポートストリームはデマルチプレクサ２１６に供給される。このデマルチプレクサ２１６では、トランスポートストリームから、所定のチャネルに対応した、パーシャルＴＳ（映像データのＴＳパケット、音声データのＴＳパケット）が抽出される。このパーシャルＴＳは、記録部インタフェース２１８を介してＤＶＤ／ＢＤドライブ２１９、あるいはＨＤＤ２２０に供給され、ＣＰＵ２２１からの記録指示に基づいて記録される。
【００７４】
また、上述したようにデマルチプレクサ２１６で抽出されるパーシャルＴＳ、または、ＤＶＤ／ＢＤドライブ２１９、あるいはＨＤＤ２２０で再生されるパーシャルＴＳは、ＭＰＥＧデコーダ２２７に供給される。このＭＰＥＧデコーダ２２７では、映像データのＴＳパケットにより構成される映像ＰＥＳパケットに対してデコード処理が行われて映像データが得られる。この映像データは、グラフィック生成回路２２８でグラフィックスデータの重畳処理等が行われた後に、映像出力端子２２９に出力される。また、ＭＰＥＧデコーダ２２７では、音声データのＴＳパケットにより構成される音声ＰＥＳパケットに対してデコード処理が行われて音声データが得られる。この音声データは、音声出力端子２３０に出力される。
【００７５】
ＤＶＤ／ＢＤドライブ２１９、あるいはＨＤＤ２２０で再生されたパーシャルＴＳに対応してＭＰＥＧデコーダ２２７で得られた映像（画像）データおよび音声データはＨＤＭＩ送信部２１２に供給され、ＨＤＭＩ端子２１１に接続されたＨＤＭＩケーブルに送出される。
【００７６】
また、デマルチプレクサ２１６で抽出されたパーシャルＴＳ、または、ＤＶＤ／ＢＤドライブ２１９、あるいはＨＤＤ２２０で再生されたパーシャルＴＳをネットワークに送出できる。この場合、パーシャルＴＳは、ＤＴＣＰ回路２２６で暗号化された後、イーサネットインタフェース２２４を介してネットワーク端子２２５に出力される。あるいは、この場合、パーシャルＴＳは、ＤＴＣＰ回路２２６で暗号化された後、イーサネットインタフェース２２４および高速データラインインタフェース２１３を通じてＨＤＭＩ端子２１１に出力される。
【００７７】
図４は、テレビ受信機２５０Ｂの構成例を示している。このテレビ受信機２５０Ｂは、ＨＤＭＩ端子２５１，２５４と、ＨＤＭＩ受信部２５２，２５５と、高速データラインインタフェース２５３，２５６と、アンテナ端子２５７と、デジタルチューナ２５８と、デマルチプレクサ２５９と、ＭＰＥＧ(Moving Picture Expert Group)デコーダ２６０と、映像・グラフィック処理回路２６１と、パネル駆動回路２６２と、表示パネル２６３と、音声信号処理回路２６４と、音声増幅回路２６５と、スピーカ２６６と、ＤＴＣＰ回路２６７と、内部バス２７０と、ＣＰＵ２７１と、フラッシュＲＯＭ２７２と、ＤＲＡＭ２７３と、イーサネットインタフェース（Ethernet I/F）２７４と、ネットワーク端子２７５と、赤外線受信部２７６と、リモコン送信機２７７とを有している。
【００７８】
アンテナ端子２５７は、受信アンテナ（図示しない）で受信されたテレビ放送信号を入力する端子である。デジタルチューナ２５８は、アンテナ端子２５７に入力されるテレビ放送信号を処理して、ユーザの選択チャネルに対応した所定のトランスポートストリームを出力する。デマルチプレクサ２５９は、デジタルチューナ２５８で得られたトランスポートストリームから、ユーザの選択チャネルに対応した、パーシャルＴＳ（Transport Stream）（映像データのＴＳパケット、音声データのＴＳパケット）を抽出する。
【００７９】
また、デマルチプレクサ２５９は、デジタルチューナ２５８で得られたトランスポートストリームから、ＰＳＩ／ＳＩ(Program Specific Information/Service Information)を取り出し、ＣＰＵ２７１に出力する。デジタルチューナ２５８で得られたトランスポートストリームには、複数のチャネルが多重化されている。デマルチプレクサ２５９で、当該トランスポートストリームから任意のチャネルのパーシャルＴＳを抽出する処理は、ＰＳＩ／ＳＩ（ＰＡＴ／ＰＭＴ）から当該任意のチャネルのパケットＩＤ（ＰＩＤ）の情報を得ることで可能となる。
【００８０】
ＭＰＥＧデコーダ２６０は、デマルチプレクサ２５９で得られる映像データのＴＳパケットにより構成される映像ＰＥＳ(Packetized Elementary Stream)パケットに対してデコード処理を行って映像データを得る。また、ＭＰＥＧデコーダ２６０は、デマルチプレクサ２５９で得られる音声データのＴＳパケットにより構成される音声ＰＥＳパケットに対してデコード処理を行って音声データを得る。なお、このＭＰＥＧデコーダ２６０は、必要に応じて、ＤＴＣＰ回路２６７で復号化されて得られた映像および音声のＰＥＳパケットに対してデコード処理を行って映像データおよび音声データを得る。
【００８１】
映像・グラフィック処理回路２６１は、ＭＰＥＧデコーダ２６０で得られた映像データに対して、必要に応じてマルチ画面処理、グラフィックスデータの重畳処理等を行う。パネル駆動回路２６２は、映像・グラフィック処理回路２６１から出力される映像データに基づいて、表示パネル２６３を駆動する。表示パネル２６３は、例えば、ＬＣＤ(Liquid Crystal Display)、ＰＤＰ(Plasma Display Panel)等で構成されている。音声信号処理回路２６４はＭＰＥＧデコーダ２６０で得られた音声データに対してＤ／Ａ変換等の必要な処理を行う。音声増幅回路２６５は、音声信号処理回路２６４から出力される音声信号を増幅してスピーカ２６６に供給する。
【００８２】
ＤＴＣＰ回路２６７は、デマルチプレクサ２５９で抽出されたパーシャルＴＳを、必要に応じて暗号化する。また、ＤＴＣＰ回路２６７は、ネットワーク端子２７５あるいは高速データラインインタフェース２５３，２５６からイーサネットインタフェース２７４に供給される暗号化データを復号する。
【００８３】
ＣＰＵ２７１は、テレビ受信機２５０Ｂの各部の動作を制御する。フラッシュＲＯＭ２７２は、制御ソフトウェアの格納およびデータの保管を行う。ＤＲＡＭ２７３は、ＣＰＵ２７１のワークエリアを構成する。ＣＰＵ２７１は、フラッシュＲＯＭ２７２から読み出したソフトウェアやデータをＤＲＡＭ２７３上に展開してソフトウェアを起動させ、テレビ受信機２５０Ｂの各部を制御する。赤外線受信部２７６は、リモコン送信機２７７から送信されたリモーコントロール信号（リモコンコード）を受信し、ＣＰＵ２７１に供給する。ＣＰＵ２７１、フラッシュＲＯＭ２７２、ＤＲＡＭ２７３およびイーサネットインタフェース２７４は、内部バス２７０に接続されている。
【００８４】
ＨＤＭＩ受信部（ＨＤＭＩシンク）２５２，２５５は、ＨＤＭＩに準拠した通信により、ＨＤＭＩ端子２５１，２５４に供給されるベースバンドの映像（画像）と音声のデータを受信する。このＨＤＭＩ受信部２５２，２５５の詳細は後述する。高速データラインインタフェース２５３，２５６は、ＨＤＭＩケーブルを構成する所定ライン（この実施の形態においては、リザーブライン、ＨＰＤライン）を用いた双方向通信のインタフェースである。この高速データラインインタフェース２５３，２５６の詳細は後述する。
【００８５】
図４に示すテレビ受信機２５０Ｂの動作を簡単に説明する。
【００８６】
アンテナ端子１５７に入力されるテレビ放送信号はデジタルチューナ２５８に供給される。このデジタルチューナ２５８では、テレビ放送信号を処理して、ユーザの選択チャネルに対応した所定のトランスポートストリームが出力され、当該所定のトランスポートストリームはデマルチプレクサ２５９に供給される。このデマルチプレクサ２５９では、トランスポートストリームから、ユーザの選択チャネルに対応した、パーシャルＴＳ（映像データのＴＳパケット、音声データのＴＳパケット）が抽出され、当該パーシャルＴＳはＭＰＥＧデコーダ２６０に供給される。
【００８７】
ＭＰＥＧデコーダ２６０では、映像データのＴＳパケットにより構成される映像ＰＥＳパケットに対してデコード処理が行われて映像データが得られる。この映像データは、映像・グラフィック処理回路２６１において、必要に応じてマルチ画面処理、グラフィックスデータの重畳処理等が行われた後に、パネル駆動回路２６２に供給される。そのため、表示パネル２６３には、ユーザの選択チャネルに対応した画像が表示される。
【００８８】
また、ＭＰＥＧデコーダ２６０では、音声データのＴＳパケットにより構成される音声ＰＥＳパケットに対してデコード処理が行われて音声データが得られる。この音声データは、音声信号処理回路２６４でＤ／Ａ変換等の必要な処理が行われ、さらに、音声増幅回路２６５で増幅された後に、スピーカ２６６に供給される。そのため、スピーカ２６６から、ユーザの選択チャネルに対応した音声が出力される。
【００８９】
上述したテレビ放送信号の受信時において、デマルチプレクサ２５９で抽出されたパーシャルＴＳをネットワークに送出できる。この場合、当該パーシャルＴＳはＤＴＣＰ回路２６７で暗号化された後、イーサネットインタフェース２７４を介してネットワーク端子２７５に出力される。あるいは、この場合、パーシャルＴＳは、ＤＴＣＰ回路２６７で暗号化された後、イーサネットインタフェース２７４および高速データラインインタフェース２５３，２５６を通じてＨＤＭＩ端子２５１，２５４に出力される。
【００９０】
なお、ネットワーク端子２７５からイーサネットＩ／Ｆ２７４に供給される、暗号化されているパーシャルＴＳは、ＤＴＣＰ回路２６７で復号化された後に、ＭＰＥＧデコーダ２６０に供給される。あるいは、ＨＤＭＩ端子２５１，２５４から高速データラインインタフェース２５３，２５６を介してイーサネットＩ／Ｆ２７４に供給される、暗号化されているパーシャルＴＳは、ＤＴＣＰ回路２６７で復号化された後に、ＭＰＥＧデコーダ２６０に供給される。以降は、上述したテレビ放送信号の受信時と同様の動作となり、表示パネル２６３に画像が表示され、スピーカ２６６から音声が出力される。
【００９１】
また、ＨＤＭＩ受信部２５２，２５５では、ＨＤＭＩケーブルを通じてＨＤＭＩ端子２５１，２５４に入力される映像（画像）データおよび音声データが取得される。この映像データおよび音声データは、それぞれ、映像・グラフィック処理回路２６１および音声信号処理回路２６４に供給される。以降は、上述したテレビ放送信号の受信時と同様の動作となり、表示パネル２６３に画像が表示され、スピーカ２６６から音声が出力される。
【００９２】
図５は、ソース機器（フォトプレーヤ３７０Ｂ、ディスクレコーダ２１０Ｂ）のＨＤＭＩ送信部（ＨＤＭＩソース）と、シンク機器（テレビ受信機２５０Ｂ）のＨＤＭＩ受信部（ＨＤＭＩシンク）の構成例を示している。
【００９３】
ＨＤＭＩ送信部は、一の垂直同期信号から次の垂直同期信号までの区間から、水平帰線区間および垂直帰線区間を除いた区間である有効画像区間（以下、適宜、アクティブビデオ区間ともいう）において、非圧縮の１画面分の画像の画素データに対応する差動信号を、複数のチャネルで、ＨＤＭＩ受信部に一方向に送信するとともに、水平帰線区間または垂直帰線区間において、少なくとも画像に付随する音声データや制御データ、その他の補助データ等に対応する差動信号を、複数のチャネルで、ＨＤＭＩ受信部に一方向に送信する。
【００９４】
すなわち、ＨＤＭＩ送信部は、トランスミッタ８１を有する。トランスミッタ８１は、例えば、非圧縮の画像の画素データを対応する差動信号に変換し、複数のチャネルである３つのＴＭＤＳチャネル＃０，＃１，＃２で、ＨＤＭＩケーブルを介して接続されているＨＤＭＩ受信部に、一方向にシリアル伝送する。
【００９５】
また、トランスミッタ８１は、非圧縮の画像に付随する音声データ、さらには、必要な制御データその他の補助データ等を、対応する差動信号に変換し、３つのＴＭＤＳチャネル＃０，＃１，＃２でＨＤＭＩケーブルを介して接続されているＨＤＭＩ受信部に、一方向にシリアル伝送する。
【００９６】
さらに、トランスミッタ８１は、３つのＴＭＤＳチャネル＃０，＃１，＃２で送信する画素データに同期したピクセルクロックを、ＴＭＤＳクロックチャネルで、ＨＤＭＩケーブルを介して接続されているＨＤＭＩ受信部に送信する。ここで、１つのＴＭＤＳチャネル＃ｉ（ｉ＝０，１，２）では、ピクセルクロックの１クロックの間に、１０ビットの画素データが送信される。
【００９７】
ＨＤＭＩ受信部は、アクティブビデオ区間において、複数のチャネルで、ＨＤＭＩ送信部から一方向に送信されてくる、画素データに対応する差動信号を受信するとともに、水平帰線区間または垂直帰線区間において、複数のチャネルで、ＨＤＭＩ送信部から一方向に送信されてくる、音声データや制御データに対応する差動信号を受信する。
【００９８】
すなわち、ＨＤＭＩ受信部は、レシーバ８２を有する。レシーバ８２は、ＴＭＤＳチャネル＃０，＃１，＃２で、ＨＤＭＩケーブルを介して接続されているＨＤＭＩ送信部から一方向に送信されてくる、画素データに対応する差動信号と、音声データや制御データに対応する差動信号を、同じくＨＤＭＩ送信部からＴＭＤＳクロックチャネルで送信されてくるピクセルクロックに同期して受信する。
【００９９】
ＨＤＭＩ送信部とＨＤＭＩ受信部とからなるＨＤＭＩシステムの伝送チャネルには、ＨＤＭＩ送信部からＨＤＭＩ受信部に対して、画素データおよび音声データを、ピクセルクロックに同期して、一方向にシリアル伝送するための伝送チャネルとしての３つのＴＭＤＳチャネル＃０乃至＃２と、ピクセルクロックを伝送する伝送チャネルとしてのＴＭＤＳクロックチャネルの他に、ＤＤＣ（Display Data Channel）８３やＣＥＣライン８４と呼ばれる伝送チャネルがある。
【０１００】
ＤＤＣ８３は、ＨＤＭＩケーブルに含まれる図示せぬ２本の信号線からなり、ＨＤＭＩ送信部が、ＨＤＭＩケーブルを介して接続されたＨＤＭＩ受信部から、Ｅ−ＥＤＩＤ（Enhanced Extended Display Identification Data）を読み出すために使用される。
【０１０１】
すなわち、ＨＤＭＩ受信部は、ＨＤＭＩレシーバ８２の他に、自身の性能（Configuration/capability）に関する性能情報であるＥ−ＥＤＩＤを記憶している、ＥＤＩＤ  ＲＯＭ(Read Only Memory)８５を有している。ＨＤＭＩ送信部は、ＨＤＭＩケーブルを介して接続されているＨＤＭＩ受信部から、当該ＨＤＭＩ受信部のＥ−ＥＤＩＤを、ＤＤＣ８３を介して読み出し、そのＥ−ＥＤＩＤに基づき、例えば、ＨＤＭＩ受信部を有する電子機器が対応している画像のフォーマット（プロファイル）、例えば、ＲＧＢ、ＹＣbＣr４：４：４、ＹＣbＣr４：２：２等を認識する。
【０１０２】
ＣＥＣライン８４は、ＨＤＭＩケーブルに含まれる図示せぬ１本の信号線からなり、ＨＤＭＩ送信部とＨＤＭＩ受信部との間で、制御用のデータの双方向通信を行うのに用いられる。
【０１０３】
また、ＨＤＭＩケーブルには、ＨＰＤ(Hot Plug Detect)と呼ばれるピンに接続されるライン８６が含まれている。ソース機器は、当該ライン８６を利用して、シンク機器の接続を検出することができる。また、ＨＤＭＩケーブルには、ソース機器からシンク機器に電源を供給するために用いられるライン８７が含まれている。さらに、ＨＤＭＩケーブルには、リザーブライン８８が含まれている。
【０１０４】
図６は、図５のＨＤＭＩトランスミッタ８１とＨＤＭＩレシーバ８２の構成例を示している。
【０１０５】
トランスミッタ８１は、３つのＴＭＤＳチャネル＃０，＃１，＃２にそれぞれ対応する３つのエンコーダ／シリアライザ８１Ａ，８１Ｂ，８１Ｃを有する。そして、エンコーダ／シリアライザ８１Ａ，８１Ｂ，８１Ｃのそれぞれは、そこに供給される画像データ、補助データ、制御データをエンコードし、パラレルデータからシリアルデータに変換して、差動信号により送信する。ここで、画像データが、例えばＲ（赤），Ｇ（緑），Ｂ（青）の３成分を有する場合、Ｂ成分（Ｂ component）はエンコーダ／シリアライザ８１Ａに供給され、Ｇ成分（Ｇ component）はエンコーダ／シリアライザ８１Ｂに供給され、Ｒ成分（Ｒ component）はエンコーダ／シリアライザ８１Ｃに供給される。
【０１０６】
また、補助データとしては、例えば、音声データや制御パケットがあり、制御パケットは、例えば、エンコーダ／シリアライザ８１Ａに供給され、音声データは、エンコーダ／シリアライザ８１Ｂ，８１Ｃに供給される。
【０１０７】
さらに、制御データとしては、１ビットの垂直同期信号（VSYNC）、１ビットの水平同期信号（HSYNC）、および、それぞれ１ビットの制御ビットＣＴＬ０，ＣＴＬ1，ＣＴＬ２，ＣＴＬ３がある。垂直同期信号および水平同期信号は、エンコーダ／シリアライザ８１Ａに供給される。制御ビットＣＴＬ０，ＣＴＬ1はエンコーダ／シリアライザ８１Ｂに供給され、制御ビットＣＴＬ２，ＣＴＬ３はエンコーダ／シリアライザ８１Ｃに供給される。
【０１０８】
エンコーダ／シリアライザ８１Ａは、そこに供給される画像データのＢ成分、垂直同期信号および水平同期信号、並びに補助データを、時分割で送信する。すなわち、エンコーダ／シリアライザ８１Ａは、そこに供給される画像データのＢ成分を、固定のビット数である８ビット単位のパラレルデータとする。さらに、エンコーダ／シリアライザ８１Ａは、そのパラレルデータをエンコードし、シリアルデータに変換して、ＴＭＤＳチャネル＃０で送信する。
【０１０９】
また、エンコーダ／シリアライザ８１Ａは、そこに供給される垂直同期信号および水平同期信号の２ビットのパラレルデータをエンコードし、シリアルデータに変換して、ＴＭＤＳチャネル＃０で送信する。さらに、エンコーダ／シリアライザ８１Ａは、そこに供給される補助データを４ビット単位のパラレルデータとする。そして、エンコーダ／シリアライザ８１Ａは、そのパラレルデータをエンコードし、シリアルデータに変換して、ＴＭＤＳチャネル＃０で送信する。
【０１１０】
エンコーダ／シリアライザ８１Ｂは、そこに供給される画像データのＧ成分、制御ビットＣＴＬ０，ＣＴＬ1、並びに補助データを、時分割で送信する。すなわち、エンコーダ／シリアライザ８１Ｂは、そこに供給される画像データのＧ成分を、固定のビット数である８ビット単位のパラレルデータとする。さらに、エンコーダ／シリアライザ８１Ｂは、そのパラレルデータをエンコードし、シリアルデータに変換して、ＴＭＤＳチャネル＃１で送信する。
【０１１１】
また、エンコーダ／シリアライザ８１Ｂは、そこに供給される制御ビットＣＴＬ０，ＣＴＬ1の２ビットのパラレルデータをエンコードし、シリアルデータに変換して、ＴＭＤＳチャネル＃１で送信する。さらに、エンコーダ／シリアライザ８１Ｂは、そこに供給される補助データを４ビット単位のパラレルデータとする。そして、エンコーダ／シリアライザ８１Ｂは、そのパラレルデータをエンコードし、シリアルデータに変換して、ＴＭＤＳチャネル＃１で送信する。
【０１１２】
エンコーダ／シリアライザ８１Ｃは、そこに供給される画像データのＲ成分、制御ビットＣＴＬ２，ＣＴＬ３、並びに補助データを、時分割で送信する。すなわち、エンコーダ／シリアライザ８１Ｃは、そこに供給される画像データのＲ成分を、固定のビット数である８ビット単位のパラレルデータとする。さらに、エンコーダ／シリアライザ８１Ｃは、そのパラレルデータをエンコードし、シリアルデータに変換して、ＴＭＤＳチャネル＃２で送信する。
【０１１３】
また、エンコーダ／シリアライザ８１Ｃは、そこに供給される制御ビットＣＴＬ２，ＣＴＬ３の２ビットのパラレルデータをエンコードし、シリアルデータに変換して、ＴＭＤＳチャネル＃２で送信する。さらに、エンコーダ／シリアライザ８１Ｃは、そこに供給される補助データを４ビット単位のパラレルデータとする。そして、エンコーダ／シリアライザ８１Ｃは、そのパラレルデータをエンコードし、シリアルデータに変換して、ＴＭＤＳチャネル＃２で送信する。
【０１１４】
レシーバ８２は、３つのＴＭＤＳチャネル＃０，＃１，＃２にそれぞれ対応する３つのリカバリ／デコーダ８２Ａ，８２Ｂ，８２Ｃを有する。そして、リカバリ／デコーダ８２Ａ，８２Ｂ，８２Ｃのそれぞれは、ＴＭＤＳチャネル＃０，＃１，＃２で差動信号により送信されてくる画像データ、補助データ、制御データを受信する。さらに、リカバリ／デコーダ８２Ａ，８２Ｂ，８２Ｃのそれぞれは、画像データ、補助データ、制御データを、シリアルデータからパラレルデータに変換し、さらにデコードして出力する。
【０１１５】
すなわち、リカバリ／デコーダ８２Ａは、ＴＭＤＳチャネル＃０で差動信号により送信されてくる画像データのＢ成分、垂直同期信号および水平同期信号、補助データを受信する。そして、リカバリ／デコーダ８２Ａは、その画像データのＢ成分、垂直同期信号および水平同期信号、補助データを、シリアルデータからパラレルデータに変換し、デコードして出力する。
【０１１６】
リカバリ／デコーダ８２Ｂは、ＴＭＤＳチャネル＃１で差動信号により送信されてくる画像データのＧ成分、制御ビットＣＴＬ０，ＣＴＬ１、補助データを受信する。そして、リカバリ／デコーダ８２Ｂは、その画像データのＧ成分、制御ビットＣＴＬ０，ＣＴＬ１、補助データを、シリアルデータからパラレルデータに変換し、デコードして出力する。
【０１１７】
リカバリ／デコーダ８２Ｃは、ＴＭＤＳチャネル＃２で差動信号により送信されてくる画像データのＲ成分、制御ビットＣＴＬ２，ＣＴＬ３、補助データを受信する。そして、リカバリ／デコーダ８２Ｃは、その画像データのＲ成分、制御ビットＣＴＬ２，ＣＴＬ３、補助データを、シリアルデータからパラレルデータに変換し、デコードして出力する。
【０１１８】
図７は、ＨＤＭＩの３つのＴＭＤＳチャネル＃０，＃１，＃２で各種の伝送データが伝送される伝送区間（期間）の例を示している。なお、図７は、ＴＭＤＳチャネル＃０，＃１，＃２において、横×縦が７２０×４８０画素のプログレッシブの画像が伝送される場合の、各種の伝送データの区間を示している。
【０１１９】
ＨＤＭＩの３つのＴＭＤＳチャネル＃０，＃１，＃２で伝送データが伝送されるビデオフィールド（Video Field）には、伝送データの種類に応じて、ビデオデータ区間（Video Data period）、データアイランド区間（Data Island period）、およびコントロール区間（Control period）の３種類の区間が存在する。
【０１２０】
ここで、ビデオフィールド区間は、ある垂直同期信号の立ち上がりエッジ（active edge）から次の垂直同期信号の立ち上がりエッジまでの区間であり、水平ブランキング期間（horizontal blanking）、垂直ブランキング期間（vertical blanking）、並びに、ビデオフィールド区間から、水平ブランキング期間および垂直ブランキング期間を除いた区間であるアクティブビデオ区間（Active Video）に分けられる。
【０１２１】
ビデオデータ区間は、アクティブビデオ区間に割り当てられる。このビデオデータ区間では、非圧縮の１画面分の画像データを構成する７２０画素×４８０ライン分の有効画素（Active pixel）のデータが伝送される。
【０１２２】
データアイランド区間およびコントロール区間は、水平ブランキング期間および垂直ブランキング期間に割り当てられる。このデータアイランド区間およびコントロール区間では、補助データ（Auxiliary data）が伝送される。
【０１２３】
すなわち、データアイランド区間は、水平ブランキング期間と垂直ブランキング期間の一部分に割り当てられている。このデータアイランド区間では、補助データのうち、制御に関係しないデータである、例えば、音声データのパケット等が伝送される。
【０１２４】
コントロール区間は、水平ブランキング期間と垂直ブランキング期間の他の部分に割り当てられている。このコントロール区間では、補助データのうちの、制御に関係するデータである、例えば、垂直同期信号および水平同期信号、制御パケット等が伝送される。
【０１２５】
ここで、現行のＨＤＭＩでは、ＴＭＤＳクロックチャネルで伝送されるピクセルクロックの周波数は、例えば１６５ＭＨｚであり、この場合、データアイランド区間の伝送レートは約５００Ｍbps程度である。
【０１２６】
図８は、ＨＤＭＩ端子のピン配列を示している。このピン配列は、タイプＡ（type-A）の例である。
【０１２７】
ＴＭＤＳチャネル＃ｉの差動信号であるＴＭＤＳ  Ｄａｔａ＃ｉ＋とＴＭＤＳ  Ｄａｔａ＃ｉ−が伝送される差動線である２本のラインは、ＴＭＤＳ  Ｄａｔａ＃ｉ＋が割り当てられているピン（ピン番号が１，４，７のピン）と、ＴＭＤＳ  Ｄａｔａ＃ｉ−が割り当てられているピン（ピン番号が３，６，９のピン）に接続される。
【０１２８】
また、制御用のデータであるＣＥＣ信号が伝送されるＣＥＣライン８４は、ピン番号が１３であるピンに接続され、ピン番号が１４のピンは空き（Reserved）ピンとなっている。また、Ｅ−ＥＤＩＤ等のＳＤＡ(Serial Data)信号が伝送されるラインは、ピン番号が１６であるピンに接続され、ＳＤＡ信号の送受信時の同期に用いられるクロック信号であるＳＣＬ(Serial Clock)信号が伝送されるラインは、ピン番号が１５であるピンに接続される。上述のＤＤＣ８３は、ＳＤＡ信号が伝送されるラインおよびＳＣＬ信号が伝送されるラインにより構成される。
【０１２９】
また、上述したようにソース機器がシンク機器の接続を検出するためのライン８６は、ピン番号が１９であるピンに接続される。また、上述したように電源を供給するためのライン８７は、ピン番号が１８であるピンに接続される。
【０１３０】
図９は、ソース機器およびシンク機器の高速データラインインタフェースの構成例を示している。この高速データラインインタフェースは、ＬＡＮ(Local Area Network)通信を行う通信部を構成する。この通信部は、ＨＤＭＩケーブルを構成する複数のラインのうち、１対の差動ライン、この実施の形態においては、空き（Reserve）ピン（１４ピン）に対応したリザーブライン（Ether−ライン）、およびＨＰＤピン（１９ピン）に対応したＨＰＤライン（Ether＋ライン）により構成された双方向通信路を用いて、通信を行う。
【０１３１】
ソース機器は、ＬＡＮ信号送信回路４１１、終端抵抗４１２、ＡＣ結合容量４１３，４１４、ＬＡＮ信号受信回路４１５、減算回路４１６、プルアップ抵抗４２１、ローパスフィルタを構成する抵抗４２２および容量４２３、比較器４２４、プルダウン抵抗４３１、ローパスフィルタを形成する抵抗４３２および容量４３３、並びに比較器４３４を有している。ここで、高速データラインインタフェース（高速データラインＩ／Ｆ）は、ＬＡＮ信号送信回路４１１、終端抵抗４１２、ＡＣ結合容量４１３，４１４、ＬＡＮ信号受信回路４１５、減算回路４１６により構成されている。
【０１３２】
電源線（＋５．０Ｖ）と接地線との間には、プルアップ抵抗４２１、ＡＣ結合容量４１３、終端抵抗４１２、ＡＣ結合容量４１４およびプルダウン抵抗４３１の直列回路が接続される。ＡＣ結合容量４１３と終端抵抗４１２の互いの接続点Ｐ１は、ＬＡＮ信号送信回路４１１の正出力側に接続されると共に、ＬＡＮ信号受信回路４１５の正入力側に接続される。また、ＡＣ結合容量４１４と終端抵抗４１２の互いの接続点Ｐ２は、ＬＡＮ信号送信回路４１１の負出力側に接続されると共に、ＬＡＮ信号受信回路４１５の負入力側に接続される。ＬＡＮ信号送信回路４１１の入力側には、送信信号（送信データ）ＳＧ411が供給される。
【０１３３】
また、減算回路４１６の正側端子には、ＬＡＮ信号受信回路４１５の出力信号ＳＧ412が供給され、この減算回路４１６の負側端子には、送信信号（送信データ）ＳＧ411が供給される。この減算回路４１６では、ＬＡＮ信号受信回路４１５の出力信号ＳＧ412から送信信号ＳＧ411が減算され、受信信号（受信データ）ＳＧ413が得られる。
【０１３４】
また、プルアップ抵抗４２１およびＡＣ結合容量４１３の互いの接続点Ｑ１は、抵抗４２２および容量４２３の直列回路を介して接地線に接続される。そして、抵抗４２２および容量４２３の互いの接続点に得られるローパスフィルタの出力信号は比較器４２４の一方の入力端子に供給される。この比較器４２４では、ローパスフィルタの出力信号が他方の入力端子に供給される基準電圧Ｖref1（＋３．７５Ｖ）と比較される。この比較器４２４の出力信号ＳＧ414は、ソース機器の制御部（ＣＰＵ）に供給される。
【０１３５】
また、ＡＣ結合容量４１４およびプルダウン抵抗４３１の互いの接続点Ｑ２は、抵抗４３２および容量４３３の直列回路を介して接地線に接続される。そして、抵抗４３２および容量４３３の互いの接続点に得られるローパスフィルタの出力信号は比較器４３４の一方の入力端子に供給される。この比較器４３４では、ローパスフィルタの出力信号が他方の入力端子に供給される基準電圧Ｖref2（＋１．４Ｖ）と比較される。この比較器４３４の出力信号ＳＧ415は、ソース機器の制御部（ＣＰＵ）に供給される。
【０１３６】
シンク機器は、ＬＡＮ信号送信回路４４１、終端抵抗４４２、ＡＣ結合容量４４３，４４４、ＬＡＮ信号受信回路４４５、減算回路４４６、プルダウン抵抗４５１、ローパスフィルタを構成する抵抗４５２および容量４５３、比較器４５４、チョークコイル４６１、抵抗４６２、並びに抵抗４６３を有している。ここで、高速データラインインタフェース（高速データラインＩ／Ｆ）は、ＬＡＮ信号送信回路４４１、終端抵抗４４２、ＡＣ結合容量４４３，４４４、ＬＡＮ信号受信回路４４５、減算回路４４６により構成されている。
【０１３７】
電源線（＋５．０Ｖ）と接地線との間には、抵抗４６２および抵抗４６３の直列回路が接続される。そして、この抵抗４６２と抵抗４６３の互いの接続点と、接地線との間には、チョークコイル４６１、ＡＣ結合容量４４４、終端抵抗４４２、ＡＣ結合容量４４３およびプルダウン抵抗４５１の直列回路が接続される。
【０１３８】
ＡＣ結合容量４４３と終端抵抗４４２の互いの接続点Ｐ３は、ＬＡＮ信号送信回路４４１の正出力側に接続されると共に、ＬＡＮ信号受信回路４４５の正入力側に接続される。また、ＡＣ結合容量４４４と終端抵抗４４２の互いの接続点Ｐ４は、ＬＡＮ信号送信回路４４１の負出力側に接続されると共に、ＬＡＮ信号受信回路４４５の負入力側に接続される。ＬＡＮ信号送信回路４４１の入力側には、送信信号（送信データ）ＳＧ417が供給される。
【０１３９】
また、減算回路４４６の正側端子には、ＬＡＮ信号受信回路４４５の出力信号ＳＧ418が供給され、この減算回路４４６の負側端子には、送信信号ＳＧ417が供給される。この減算回路４４６では、ＬＡＮ信号受信回路４４５の出力信号ＳＧ418から送信信号ＳＧ417が減算され、受信信号（受信データ）ＳＧ419が得られる。
【０１４０】
また、プルダウン抵抗４５１およびＡＣ結合容量４４３の互いの接続点Ｑ３は、抵抗４５２および容量４５３の直列回路を介して接地線に接続される。そして、抵抗４５２および容量４５３の互いの接続点に得られるローパスフィルタの出力信号は比較器４５４の一方の入力端子に供給される。この比較器４５４では、ローパスフィルタの出力信号が他方の入力端子に供給される基準電圧Ｖref3（＋１．２５Ｖ）と比較される。この比較器４５４の出力信号ＳＧ416は、シンク機器の制御部（ＣＰＵ）に供給される。
【０１４１】
ＨＤＭＩケーブルに含まれるリザーブライン５０１およびＨＰＤライン５０２は、差動ツイストペアを構成している。リザーブライン５０１のソース側端５１１は、ソース機器のＨＤＭＩ端子の１４ピンに接続され、当該リザーブライン５０１のシンク側端５２１はシンク機器のＨＤＭＩ端子の１４ピンに接続される。また、ＨＰＤライン５０２のソース側端５１２はソース機器のＨＤＭＩ端子の１９ピンに接続され、当該ＨＰＤライン５０２のシンク側端５２２はシンク機器のＨＤＭＩ端子の１９ピンに接続される。
【０１４２】
ソース機器において、上述したプルアップ抵抗４２１とＡＣ結合容量４１３の互いの接続点Ｑ１は、ＨＤＭＩ端子の１４ピンに接続され、また、上述したプルダウン抵抗４３１とＡＣ結合容量４１４の互いの接続点Ｑ２はＨＤＭＩ端子の１９ピンに接続される。一方、シンク機器において、上述したプルダウン抵抗４５１とＡＣ結合容量４４３の互いの接続点Ｑ３はＨＤＭＩ端子の１４ピンに接続され、また、上述したチョークコイル４６１とＡＣ結合容量４４４の互いの接続点Ｑ４はＨＤＭＩ端子の１９ピンに接続される。
【０１４３】
次に、上述したように構成された、高速データラインインタフェースによるＬＡＮ通信の動作を説明する。
【０１４４】
ソース機器において、送信信号（送信データ）ＳＧ411はＬＡＮ信号送信回路４１１の入力側に供給され、このＬＡＮ信号送信回路４１１から送信信号ＳＧ411に対応した差動信号（正出力信号、負出力信号）が出力される。そして、ＬＡＮ信号送信回路４１１から出力される差動信号は、接続点Ｐ１，Ｐ２に供給され、ＨＤＭＩケーブルの１対のライン（リザーブライン５０１、ＨＰＤライン５０２）を通じて、シンク機器に送信される。
【０１４５】
また、シンク機器において、送信信号（送信データ）ＳＧ417はＬＡＮ信号送信回路４４１の入力側に供給され、このＬＡＮ信号送信回路４４１から送信信号ＳＧ417に対応した差動信号（正出力信号、負出力信号）が出力される。そして、ＬＡＮ信号送信回路４４１から出力される差動信号は、接続点Ｐ３，Ｐ４に供給され、ＨＤＭＩケーブルの１対のライン（リザーブライン５０１、ＨＰＤライン５０２）を通じて、ソース機器に送信される。
【０１４６】
また、ソース機器において、ＬＡＮ信号受信回路４１５の入力側は接続点Ｐ１，Ｐ２に接続されていることから、当該ＬＡＮ信号受信回路４１５の出力信号ＳＧ412として、ＬＡＮ信号送信回路４１１から出力された差動信号（電流信号）に対応した送信信号と、上述したようにシンク機器から送信されてくる差動信号に対応した受信信号との加算信号が得られる。減算回路４１６では、ＬＡＮ信号受信回路４１５の出力信号ＳＧ412から送信信号ＳＧ411が減算される。そのため、この減算回路４１６の出力信号ＳＧ413は、シンク機器の送信信号（送信データ）ＳＧ417に対応したものとなる。
【０１４７】
また、シンク機器において、ＬＡＮ信号受信回路４４５の入力側は接続点Ｐ３，Ｐ４に接続されていることから、当該ＬＡＮ信号受信回路４４５の出力信号ＳＧ418として、ＬＡＮ信号送信回路４４１から出力された差動信号（電流信号）に対応した送信信号と、上述したようにソース機器から送信されてくる差動信号に対応した受信信号との加算信号が得られる。減算回路４４６では、ＬＡＮ信号受信回路４４５の出力信号ＳＧ418から送信信号ＳＧ417が減算される。そのため、この減算回路４４６の出力信号ＳＧ419は、ソース機器の送信信号（送信データ）ＳＧ411に対応したものとなる。
【０１４８】
このように、ソース機器の高速データラインインタフェースと、シンク機器の高速データラインインタフェースとの間では、双方向のＬＡＮ通信を行うことができる。
【０１４９】
なお、図９において、ＨＰＤライン５０２は、上述のＬＡＮ通信の他に、ＤＣバイアスレベルで、ＨＤＭＩケーブルがシンク機器に接続されたことをソース機器に伝達する。すなわち、シンク機器内の抵抗４６２，４６３とチョークコイル４６１は、ＨＤＭＩケーブルがシンク機器に接続されるとき、ＨＰＤライン５０２を、ＨＤＭＩ端子の１９ピンを介して、約４Ｖにバイアスする。ソース機器は、ＨＰＤライン５０２のＤＣバイアスを、抵抗４３２と容量４３３からなるローパスフィルタで抽出し、比較器４３４で基準電圧Vref2（例えば、１．４Ｖ）と比較する。
【０１５０】
ソース機器のＨＤＭＩ端子の１９ピンの電圧は、ＨＤＭＩケーブルがシンク機器に接続されていなければ、プルダウン抵抗４３１が存在するために基準電圧Ｖref2より低く、逆に、ＨＤＭＩケーブルがシンク機器に接続されていれば基準電圧Ｖref2より高い。したがって、比較器４３４の出力信号ＳＧ415は、ＨＤＭＩケーブルがシンク機器に接続されているときは高レベルとなり、そうでないときは低レベルとなる。これにより、ソース機器の制御部（ＣＰＵ）は、比較器４３４の出力信号ＳＧ415に基づいて、ＨＤＭＩケーブルがシンク機器に接続されたか否かを認識できる。
【０１５１】
また、図９において、リザーブライン５０１のＤＣバイアス電位で、ＨＤＭＩケーブルの両端に接続された機器が、ＬＡＮ通信が可能な機器（以下、「ｅ−ＨＤＭＩ対応機器」という）であるか、ＬＡＮ通信が不可能な機器（以下、「ｅ−ＨＤＭＩ非対応機器」かを、相互に認識する機能を有している。
【０１５２】
上述したように、ソース機器はリザーブライン５０１を抵抗４２１でプルアップ（＋５Ｖ）し、シンク機器はリザーブライン５０１を抵抗４５１でプルダウンする。抵抗４２１，４５１は、ｅ−ＨＤＭＩ非対応機器には存在しない。
【０１５３】
ソース機器は、上述したように、比較器４２４で、抵抗４２２および容量４２３からなるローパスフィルタを通過したリザーブライン５０１のＤＣ電位を基準電圧Ｖref1と比較する。シンク機器が、ｅ−ＨＤＭＩ対応機器でプルダウン抵抗４５１があるときには、リザーブライン５０１の電圧が２．５Ｖとなる。しかし、シンク機器が、ｅ−ＨＤＭＩ非対応機器でプルダウン抵抗４５１がないときには、リザーブライン５０１の電圧がプルアップ抵抗４２１の存在により５Ｖとなる。
【０１５４】
そのため、基準電圧Ｖref1が例えば３．７５Ｖとされることで、比較器４２４の出力信号ＳＧ414は、シンク機器がｅ−ＨＤＭＩ対応機器であるときは低レベルとなり、そうでないときは高レベルとなる。これにより、ソース機器の制御部（ＣＰＵ）は、比較器４２４の出力信号ＳＧ414に基づいて、シンク機器がｅ−ＨＤＭＩ対応機器であるか否かを認識できる。
【０１５５】
同様に、シンク機器は、上述したように、比較器４５４で、抵抗４５２および容量４５３からなるローパスフィルタを通過したリザーブライン５０１のＤＣ電位を基準電圧Ｖref3と比較する。ソース機器が、ｅ−ＨＤＭＩ対応機器でプルアップ抵抗４２１があるときには、リザーブライン５０１の電圧が２．５Ｖとなる。しかし、ソース機器が、ｅ−ＨＤＭＩ非対応機器でプルアップ抵抗４２１がないときには、リザーブライン５０１の電圧がプルダウン抵抗４５１の存在により０Ｖとなる。
【０１５６】
そのため、基準電圧Ｖref3が例えば１．２５Ｖとされることで、比較器４５４の出力信号ＳＧ416は、ソース機器がｅ−ＨＤＭＩ対応機器であるときは高レベルとなり、そうでないときは低レベルとなる。これにより、シンク機器の制御部（ＣＰＵ）は、比較器４５４の出力信号ＳＧ416に基づいて、ソース機器がｅ−ＨＤＭＩ対応機器であるか否かを認識できる。
【０１５７】
図９に示す構成例によれば、１本のＨＤＭＩケーブルで映像と音声のデータ伝送と接続機器情報の交換および認証と機器制御データの通信とＬＡＮ通信を行うインタフェースにおいて、ＬＡＮ通信が１対の差動伝送路を介した双方向通信で行われ、伝送路のうちの少なくとも片方のＤＣバイアス電位によってインタフェースの接続状態が通知されることから、物理的にＳＣＬライン、ＳＤＡラインをＬＡＮ通信につかわない空間的分離を行うことが可能となる。その結果、ＤＤＣに関して規定された電気的仕様と無関係にＬＡＮ通信のための回路を形成することができ、安定で確実なＬＡＮ通信が安価に実現できる。
【０１５８】
なお、図９に示したプルアップ抵抗４２１が、ソース機器内ではなく、ＨＤＭＩケーブル内に設けられているようにしてもよい。そのような場合、プルアップ抵抗４２１の端子のそれぞれは、ＨＤＭＩケーブル内に設けられたラインのうち、リザーブライン５０１、および電源（電源電位）に接続されるライン（信号線）のそれぞれに接続される。
【０１５９】
さらに、図９に示したプルダウン抵抗４５１および抵抗４６３がシンク機器内ではなく、ＨＤＭＩケーブル内に設けられているようにしてもよい。そのような場合、プルダウン抵抗４５１の端子のそれぞれは、ＨＤＭＩケーブル内に設けられたラインのうち、リザーブライン５０１、およびグランド（基準電位）に接続されるライン（グランド線）のそれぞれに接続される。また、抵抗４６３の端子のそれぞれは、ＨＤＭＩケーブル内に設けられたラインのうち、ＨＰＤライン５０２、およびグランド（基準電位）に接続されるライン（グランド線）のそれぞれに接続される。
【０１６０】
図１０は、テレビ受信機２５０Ｂに、フォトプレーヤ３７０Ｂおよびディスクレコーダ２１０Ｂが接続される際の動作シーケンスの一例を示している。
【０１６１】
（ａ）テレビ受信機２５０ＢにＨＤＭＩケーブル３９１を介してフォトプレーヤ３７０Ｂが接続されると、（ｂ）フォトプレーヤ３７０Ｂは、ＨＤＭＩ制御プロトコルを使用して、テレビ受信機２５０Ｂから物理アドレス（Physical Address）[1000]を取得する。
【０１６２】
（ｃ）フォトプレーヤ３７０Ｂは、自身が再生機器であることから、図２６のテーブルに基づいて、ＣＥＣ制御機器のPlayback Deviceとして論理アドレス｛４｝を決定する。この場合、フォトプレーヤ３７０Ｂは、ＣＥＣ制御プロトコルのPolling Messageで他の機器にこの論理アドレス｛４｝を持つ機器が存在しないことを認識した後に、当該論理アドレス｛４｝を自身の論理アドレスとして決定する。
【０１６３】
（ｄ）フォトプレーヤ３７０Ｂは、上述したように論理アドレス｛４｝を決定した後、ＣＥＣ制御プロトコルのReport Physical Addressにより、物理アドレス[1000]はＣＥＣ対応機器｛４｝であることを、テレビ受信機２５０Ｂに通知する。
【０１６４】
（ｅ）テレビ受信機２５０ＢにＨＤＭＩケーブル３９２を介してディスクレコーダ２１０Ｂが接続されると、（ｆ）ディスクレコーダ２１０Ｂは、ＨＤＭＩ制御プロトコルを使用して、テレビ受信機２５０Ｂから物理アドレス（Physical Address）[2000]を取得する。ここで、ディスクレコーダ２１０Ｂは、ＣＥＣ非対応機器であるので、ＣＥＣ論理アドレスの決定動作は行わない。
【０１６５】
（ｇ）その後、ユーザにより、フォトプレーヤ３７０Ｂに、物理アドレス[2000]は、当該フォトプレーヤ３７０Ｂが代わって制御する機器（Recording Device）であることを設定する。ユーザは、この設定を、例えば、ＣＰＵ３７４に接続されているユーザ操作部３７４Ａにより行うことができる。（ｈ）フォトプレーヤ３７０Ｂは、上述の設定に伴って、図２６のテーブルに基づいて、ＣＥＣ制御機器のRecording Deviceとして論理アドレス｛１｝を決定する。この場合、フォトプレーヤ３７０Ｂは、ＣＥＣ制御プロトコルのPolling Messageで他の機器にこの論理アドレス｛１｝を持つ機器が存在しないことを認識した後に、当該論理アドレス｛１｝を論理アドレスとして決定する。
【０１６６】
（ｉ）フォトプレーヤ３７０Ｂは、上述したように物理アドレス[2000]に対応した論理アドレス｛１｝を決定した後、ＣＥＣ制御プロトコルのReport Physical Addressにより、物理アドレス[2000]はＣＥＣ対応機器｛１｝であることを、テレビ受信機２５０Ｂに通知する。
【０１６７】
図１１は、テレビ受信機２５０Ｂのリモコン送信機２７７で、フォトプレーヤ３７０Ｂおよびディスクレコーダ２１０Ｂの再生制御を行う際の動作シーケンスの一例を示している。
【０１６８】
(ａ)テレビ受信機２５０Ｂのリモコン送信機２７７でユーザがフォトプレーヤ３７０Ｂへの入力切り替えを行ったとき、（ｂ）テレビ受信機２５０Ｂは、ＣＥＣ制御プロトコルで、入力がテレビ受信機２５０Ｂからフォトプレーヤ３７０Ｂに切り替わったことを、SetStreamPath[0000]→[1000]で、接続されているＣＥＣ対応機器に通知する。
【０１６９】
（ｃ）物理アドレス[1000]のフォトプレーヤ３７０Ｂは、この通知を検出し、ＣＥＣの制御がフォトプレーヤ３７０Ｂに移ったことを、接続されているＣＥＣ対応機器に、ActiveSource{４}→{Ｆ}で通知する。（ｄ）これにより、テレビ受信機２５０Ｂは、リモコン送信先をフォトプレーヤ３７０Ｂに切り替える。
【０１７０】
（ｅ）テレビ受信機２５０Ｂのリモコン送信機２７７でユーザが再生キーを押したとき、（ｆ）テレビ受信機２５０Ｂは、ＣＥＣ制御プロトコルで、UserControlPressed:PB{４}を、接続されているＣＥＣ対応機器に通知する。（ｇ）論理アドレス｛４｝のフォトプレーヤ３７０Ｂは、この通知を検出し、フラッシュメモリの画像を再生し、再生出力を、ＨＤＭＩケーブル３９１を介して、テレビ受信機２５０Ｂに送る。これにより、テレビ受信機２５０Ｂに、フラッシュメモリの再生画像が表示される。
【０１７１】
次に、(ｈ)テレビ受信機２５０Ｂのリモコン送信機２７７でユーザがディスクレコーダ２１０Ｂへの入力切り替えを行ったとき、（ｉ）テレビ受信機２５０Ｂは、ＣＥＣ制御プロトコルで、入力がフォトプレーヤ３７０Ｂからディスクレコーダ２１０Ｂに切り替わったことを、SetStreamPath[1000]→[2000]で、接続されているＣＥＣ対応機器に通知する。
【０１７２】
（ｊ）物理アドレス[2000]に対するＣＥＣ制御は、フォトプレーヤ３７０Ｂがディスクレコーダ２１０Ｂの代わりに行うため、フォトプレーヤ３７０Ｂは、この通知を検出する。そして、フォトプレーヤ３７０Ｂは、ＣＥＣの制御が仮想的にディスクレコーダ２１０Ｂに移ったことを、接続されているＣＥＣ対応機器に、ActiveSource{１}→{Ｆ}で通知する。（ｋ）これにより、テレビ受信機２５０Ｂは、リモコン送信先をディスクレコーダ２１０Ｂに切り替える。
【０１７３】
（ｍ）テレビ受信機２５０Ｂのリモコン送信機２７７でユーザが再生キーを押したとき、（ｎ）テレビ受信機２５０Ｂ（ＣＰＵ２７１）は、ＣＥＣ制御プロトコルで、UserControlPressed:PB{１}を、接続されているＣＥＣ対応機器に通知する。ここで、ＣＰＵ２７１は制御信号発生部を構成する。（ｐ）論理アドレス｛１｝に対する制御はフォトプレーヤ３７０Ｂがディスクレコーダ２１０Ｂの代わりに行うために、フォトプレーヤ３７０Ｂは、この通知を検出する。そして、フォトプレーヤ３７０Ｂは、ＣＥＣの再生コマンドを、赤外リモコンコマンドに変換して赤外線で送信することで、ＣＥＣ非対応のディスクレコーダ２１０Ｂに通知する。この変換は、例えば、ＣＰＵ３７４が行う。この意味で、ＣＰＵ３７４は制御信号変換部を構成している。
【０１７４】
（ｑ）ディスクレコーダ２１０Ｂは、この通知を検出し、ディスクに記録されている画像を再生し、再生出力を、ＨＤＭＩケーブル３９２を介して、テレビ受信機２５０Ｂに送る。これにより、テレビ受信機２５０Ｂに、ディスクの再生画像が表示される。
【０１７５】
図１２は、テレビ受信機２５０Ｂのリモコン送信機２７７を使用した、上述のディスクレコーダ２１０Ｂの再生制御の経路を破線で示している。図１３は、フォトプレーヤ３７０Ｂ内の再生制御の経路を破線で示している。テレビ受信機２５０Ｂから通知される、ＣＥＣ再生コマンド（UserControlPressed:PB{１}）は、ＨＤＭＩ送信部３７２からＣＰＵ３７４を介してＲＡＭ３７６に供給され、当該ＲＡＭ３７６に一時的に保持される。
【０１７６】
ＣＰＵ３７４は、ＲＡＭ３７６に保持されているＣＥＣ制御コマンドを読み出して解釈する。そして、ＣＰＵ３７４は、赤外線送信回路３８３を制御し、ＣＥＣ再生コマンドを赤外リモコンコマンドに変換し、赤外線送信部３８４から赤外線信号とし出力する。
【０１７７】
以上説明したように、図１に示すＡＶシステム１００においては、ユーザがテレビ受信機２５０Ｂのリモコン送信機２７７を用いて、ＣＥＣ非対応機器であるディスクレコーダ２１０Ｂの操作を行った場合、テレビ受信機２５０Ｂから、ディスクレコーダ２１０Ｂを宛先とするＣＥＣ制御コマンドが発生される。そして、フォトプレーヤ３７０Ｂにおいて当該ＣＥＣ制御コマンドが赤外リモコンコマンドに変換されて、ディスクレコーダ２１０Ｂに送信される。したがって、図１に示すＡＶシステム１００においては、テレビ受信機２５０Ｂのリモコン送信機２７７を用いて、当該テレビ受信機２５０Ｂに接続されているＣＥＣ非対応機器であるディスクレコーダ２１０Ｂの動作を制御できる。
【０１７８】
なお、図１に示す実施の形態においては、フォトプレーヤ３７０Ｂは、ディスクレコーダ２１０Ｂを宛先とするＣＥＣ制御コマンドを赤外リモコンコマンドに変換してディスクレコーダ２１０Ｂに送信するものを示した。しかし、フォトプレーヤ３７０Ｂは、ＣＥＣ制御コマンドを所定の形式の制御信号に変換し、この制御信号を、図１４に示すように、ＨＤＭＩケーブル３９１、３９２のリザーブラインおよびＨＰＤラインで構成される双方向通信路を介してディスクレコーダ２１０Ｂに送信する、ようにしてもよい。この場合、フォトプレーヤ３７０Ｂにおいては、赤外線送信回路３８３および赤外線送信部３８４は不要となる。また、この場合、ディスクレコーダ２１０Ｂにおいては、赤外線受信部２３１は不要となる。
【０１７９】
次に、この発明の他の実施の形態について説明する。図１５は、この発明の他の実施の形態としてのＡＶシステム１００′の構成例を示している。この図１５において、図１と対応する部分には同一符号を付し、その詳細説明は省略する。
【０１８０】
フォトプレーヤ３７０Ｂ′およびテレビ受信機２５０Ｂ′は、ＨＤＭＩケーブル３９１を介して接続されている。すなわち、ＨＤＭＩケーブル３９１の一端はフォトプレーヤ３７０Ｂ′のＨＤＭＩ端子３７１に接続され、このＨＤＭＩケーブル３９１の他端はテレビ受信機２５０Ｂ′のＨＤＭＩ端子２５１に接続されている。また、ディスクレコーダ２１０Ｂおよびテレビ受信機２５０Ｂ′は、ＨＤＭＩケーブル３９２を介して接続されている。すなわち、ＨＤＭＩケーブル３９２の一端はディスクレコーダ２１０ＢのＨＤＭＩ端子２１１に接続され、このＨＤＭＩケーブル３９２の他端はテレビ受信機２５０Ｂ′のＨＤＭＩ端子２５４に接続されている。
【０１８１】
テレビ受信機２５０Ｂ′は、ＣＥＣ対応機器であり、リモコン送信機２７７からの赤外線のリモートコントロール信号を受信する赤外線受信部（ＩＲ受信部）２７６を有する他に、赤外線信号を送信する赤外線送信部２７８を有している。このテレビ受信機２５０Ｂ′は、図１のＡＶシステム１００におけるテレビ受信機２５０Ｂに、赤外線送信回路（図示せず）および赤外線送信部２７８が付加されたものとなる。ここで、赤外線送信回路は、ＣＰＵ２７１（図４参照）の制御のもと、赤外線送信部２７８を駆動して、赤外線信号を発生させる。
【０１８２】
また、フォトプレーヤ３７０Ｂ′はＣＥＣ対応機器である。このフォトプレーヤ３７０Ｂ′は、図１のＡＶシステム１００におけるフォトプレーヤ３７０Ｂから、赤外線送信回路３８３および赤外線送信部３８４を除いたものとなる。また、ディスクレコーダ２１０Ｂは、ＣＥＣ非対応機器であり、赤外線信号を受信する赤外線受信部２３１を有している。このディスクレコーダ２１０Ｂは、図１のＡＶシステム１００におけるディスクレコーダ２１０Ｂと同じものである。
【０１８３】
この図１５に示すＡＶシステム１００′において、テレビ受信機２５０Ｂ′にフォトプレーヤ３７０Ｂ′が接続されるとき、フォトプレーヤ３７０Ｂ′は、ＨＤＭＩ制御プロトコルを使用して、テレビ受信機２５０Ｂ′から物理アドレス（Physical Address）[1000]を取得する。そして、このフォトプレーヤ３７０Ｂ′は、自身が再生機器であることから、図２６のテーブルに基づいて、ＣＥＣ制御機器のPlayback Deviceとして論理アドレス｛４｝を決定する。
【０１８４】
また、この図１５に示すＡＶシステム１００′において、テレビ受信機２５０Ｂ′にディスクレコーダ２１０Ｂが接続されるとき、ディスクレコーダ２１０Ｂは、ＨＤＭＩ制御プロトコルを使用して、テレビ受信機２５０Ｂ′から物理アドレス（Physical Address）[2000]を取得する。ここで、ディスクレコーダ２１０Ｂは、ＣＥＣ非対応機器であるので、ＣＥＣ論理アドレスの決定動作は行わない。
【０１８５】
その後、ユーザにより、テレビ受信機２５０Ｂ′に、物理アドレス[2000]は、当該テレビ受信機２５０Ｂ′が代わって制御する機器（Recording Device）であることを設定する。テレビ受信機２５０Ｂ′は、上述の設定に伴って、図２６のテーブルに基づいて、ＣＥＣ制御機器のRecording Deviceとして論理アドレス｛１｝を決定する。
【０１８６】
図１６は、テレビ受信機２５０Ｂ′におけるリモコンコントロールのユーザ設定時の表示例を示している。テレビ受信機２５０Ｂ′は、ＨＤＭＩ入力１に係るＨＤＭＩ端子２５１と、ＨＤＭＩ入力２に係るＨＤＭＩ端子２５４を備えている。図１６(ａ)は、カーソルＣＡの位置をＨＤＭＩ入力１とした場合であり、このＨＤＭＩ入力１に接続されている機器（フォトプレーヤ３７０Ｂ）はＣＥＣ制御コマンドでコントロールされることが表示される。
【０１８７】
図１６（ｂ）は、カーソルＣＡの位置をＨＤＭＩ入力２とした場合であり、このＨＤＭＩ入力２に接続されている機器（ディスクレコーダ２１０Ｂ）は赤外線コマンドでコントロールされることが表示される。ここで、ユーザは、ＨＤＭＩ入力２に接続されている機器（ディスクレコーダ２１０Ｂ）が録画機器（Recording Device）であることを設定できる。この設定動作は、上述したように、テレビ受信機２５０Ｂ′に、物理アドレス[2000]は、当該テレビ受信機２５０Ｂ′が代わって制御する機器（Recording Device）であることを設定する動作となる。
【０１８８】
図１５に示すＡＶシステム１００′において、テレビ受信機２５０Ｂ′のリモコン送信機２７７でユーザがフォトプレーヤ３７０Ｂ′への入力切り替えを行った後、再生キーを押した場合、テレビ受信機２５０Ｂ′からフォトプレーヤ３７０Ｂ′宛てのＣＥＣ再生制御コマンドが発生され、フォトプレーヤ３７０Ｂ′に通知される。これにより、フォトプレーヤ３７０Ｂ′で再生動作が開始され、再生された画像データが、ＨＤＭＩケーブル３９１を介して、テレビ受信機２５０Ｂ′に送られてくる。これにより、テレビ受信機２５０Ｂ′には、フォトプレーヤ３７０Ｂ′の再生画像が表示される。
【０１８９】
また、図１５に示すＡＶシステム１００′において、テレビ受信機２５０Ｂ′のリモコン送信機２７７でユーザがディスクレコーダ２１０Ｂへの入力切り替えを行った後、再生キーを押した場合、テレビ受信機２５０Ｂ′からディスクレコーダ２１０Ｂ宛てのＣＥＣ再生制御コマンドが発生される。テレビ受信機２５０Ｂ′では、このＣＥＣ再生制御コマンドを赤外線コマンドに変換し、赤外線送信部２７８からディスクレコーダ２１０Ｂに送信する。これにより、ディスクレコーダ２１０Ｂで再生動作が開始され、再生された画像データが、ＨＤＭＩケーブル３９２を介して、テレビ受信機２５０Ｂ′に送られてくる。これにより、テレビ受信機２５０Ｂ′には、ディスクレコーダ２１０Ｂの再生画像が表示される。
【０１９０】
以上説明したように、図１５に示すＡＶシステム１００′においても、図１に示すＡＶシステム１００と同様に、テレビ受信機２５０Ｂ′のリモコン送信機２７７を用いて、当該テレビ受信機２５０Ｂ′に接続されているＣＥＣ非対応機器であるディスクレコーダ２１０Ｂの動作を制御できる。
【０１９１】
なお、図１５に示す実施の形態においては、テレビ受信機２５０Ｂ′は、ディスクレコーダ２１０Ｂを宛先とするＣＥＣ制御コマンドを赤外リモコンコマンドに変換してディスクレコーダ２１０Ｂに送信するものを示した。しかし、テレビ受信機２５０Ｂ′は、ＣＥＣ制御コマンドを所定の形式の制御信号に変換し、この制御信号を、ＨＤＭＩケーブル３９２のリザーブラインおよびＨＰＤラインで構成される双方向通信路を介してディスクレコーダ２１０Ｂに送信する、ようにしてもよい。この場合、テレビ受信機２５０Ｂ′においては、赤外線送信回路および赤外線送信部２７８は不要となる。また、この場合、ディスクレコーダ２１０Ｂにおいては、赤外線受信部２３１は不要となる。
【０１９２】
次に、この発明の他の実施の形態について説明する。図１７は、この発明の他の実施の形態としてのＡＶシステム１００″の構成例を示している。この図１７において、図１、図１５と対応する部分には同一符号を付し、その詳細説明は省略する。
【０１９３】
このＡＶシステム１００″は、テレビ受信機２５０Ｂと、フォトプレーヤ３７０Ｂ′と、ディスクレコーダ２１０Ｂと、ＡＶアンプ３１０を有している。フォトプレーヤ３７０Ｂ′およびディスクレコーダ２１０Ｂは、ＨＤＭＩのソース機器を構成している。テレビ受信機２５０Ｂは、ＨＤＭＩのシンク機器を構成している。ＡＶアンプ３１０は、ＨＤＭＩのリピータ機器を構成している。
【０１９４】
テレビ受信機２５０ＢおよびＡＶアンプ３１０は、ＨＤＭＩケーブル３９３を介して接続されている。すなわち、ＨＤＭＩケーブル３９３の一端はＡＶアンプ３１０のＨＤＭＩ端子３１４に接続され、このＨＤＭＩケーブル３９３の他端はテレビ受信機２５０ＢのＨＤＭＩ端子２５１に接続されている。
【０１９５】
フォトプレーヤ３７０Ｂ′およびＡＶアンプ３１０は、ＨＤＭＩケーブル３９１を介して接続されている。すなわち、ＨＤＭＩケーブル３９１の一端はフォトプレーヤ３７０Ｂ′のＨＤＭＩ端子３７１に接続され、このＨＤＭＩケーブル３９１の他端はＡＶアンプ３１０のＨＤＭＩ端子３１１Ａに接続されている。また、ディスクレコーダ２１０ＢおよびＡＶアンプ３１０は、ＨＤＭＩケーブル３９２を介して接続されている。すなわち、ＨＤＭＩケーブル３９２の一端はディスクレコーダ２１０ＢのＨＤＭＩ端子２１１に接続され、このＨＤＭＩケーブル３９２の他端はＡＶアンプ３１０のＨＤＭＩ端子３１１Ｂに接続されている。
【０１９６】
テレビ受信機２５０Ｂは、ＣＥＣ対応機器であり、リモコン送信機２７７からの赤外線のリモートコントロール信号を受信する赤外線受信部（ＩＲ受信部）２７６を有している。このテレビ受信機２５０Ｂは、図１のＡＶシステム１００におけるテレビ受信機２５０Ｂと同じものである。
【０１９７】
また、フォトプレーヤ３７０Ｂ′はＣＥＣ対応機器である。このフォトプレーヤ３７０Ｂ′は、図１５のＡＶシステム１００′におけるフォトプレーヤ３７０Ｂ′と同じものである。また、ディスクレコーダ２１０Ｂは、ＣＥＣ非対応機器であり、赤外線信号を受信する赤外線受信部２３１を有している。このディスクレコーダ２１０Ｂは、図１のＡＶシステム１００におけるディスクレコーダ２１０Ｂと同じものである。
【０１９８】
また、ＡＶアンプ３１０は、ＣＥＣ対応機器であり、赤外線信号を送信する赤外線送信部３３０を有している。図１８は、ＡＶアンプ３１０の構成例を示している。
【０１９９】
図１８は、ＡＶアンプ３１０の構成例を示している。このＡＶアンプ３１０は、ＨＤＭＩ端子３１１Ａ，３１１Ｂ，３１４と、ＨＤＭＩ受信部３１２Ａ，３１２Ｂと、ＨＤＭＩ送信部３１５と、高速データラインインタフェース３１３Ａ，３１３Ｂ，３１６と、ＭＰＥＧデコーダ３１７と、映像・グラフィック処理回路３１８と、音声処理回路３１９と、音声増幅回路３２０と、音声出力端子３２１ａ〜３２１ｅと、ＤＴＣＰ回路３２２と、イーサネットインタフェース３２３と、内部バス３２４と、ＣＰＵ３２５と、フラッシュＲＯＭ３２６と、ＤＲＡＭ３２７と、赤外線送信回路３２９と、赤外線送信部３３０とを有している。
【０２００】
ＨＤＭＩ受信部（ＨＤＭＩシンク）３１２Ａ，３１２Ｂは、ＨＤＭＩに準拠した通信により、ＨＤＭＩ端子３１１Ａ，３１１Ｂに供給されるベースバンドの映像（画像）と音声のデータを受信する。ＨＤＭＩ送信部（ＨＤＭＩソース）３１５は、ＨＤＭＩに準拠した通信により、ベースバンドの映像（画像）と音声のデータを、ＨＤＭＩ端子３１４から送出する。ＨＤＭＩ受信部３１２Ａ，３１２ＢおよびＨＤＭＩ送信部３１５は、上述した他の機器のＨＤＭＩ受信部およびＨＤＭＩ送信部と同様に構成されている。
【０２０１】
高速データラインインタフェース３１３Ａ，３１３Ｂ，３１６は、ＨＤＭＩケーブルを構成する所定ライン（この実施の形態においては、リザーブライン、ＨＰＤライン）を用いた双方向通信のインタフェースである。高速データラインインタフェース３１３Ａ，３１３Ｂ，３１６は、上述した他の機器の高速データラインインタフェースと同様に構成されている。
【０２０２】
ＤＴＣＰ回路３２２は、高速データラインインタフェース３１３を介してイーサネットインタフェース３２３に供給される、暗号化されているパーシャルＴＳを復号化する。ＭＰＥＧデコーダ３１７は、ＤＴＣＰ回路で復号化されて得られたパーシャルＴＳのうち、音声のＰＥＳパケットに対してデコード処理を行って音声データを得る。
【０２０３】
音声処理回路３１９は、ＭＰＥＧデコーダ３１７で得られた音声データにＤ／Ａ変換等の必要な処理を行う。音声増幅回路３２０は、音声処理回路３１９から出力されるフロントレフト音声信号ＳFL、フロントライト音声信号ＳFR、フロントセンタ音声信号ＳFCと、リアレフト音声信号ＳRLおよびリアライト音声信号ＳRRを増幅して、音声出力端子３２１ａ，３２１ｂ，３２１ｃ，３２１ｄおよび３２１ｅに出力する。
【０２０４】
なお、音声出力端子３２１ａ，３２１ｂ，３２１ｃ，３２１ｄおよび３２１ｅには、それぞれ、スピーカ群３５０を構成するフロントレフトスピーカ３５０ａ、フロントライトスピーカ３５０ｂ、フロントセンタースピーカ３５０ｃ、リアレフトスピーカ３５０ｄおよびリアライトスピーカ３５０ｅが接続されている。
【０２０５】
音声処理回路３１９は、さらに、ＨＤＭＩ受信部３１２Ａ，３１２Ｂで得られた音声データを、必要な処理を施した後に、ＨＤＭＩ送信部３１５に供給する。映像・グラフィック処理回路３１８は、ＨＤＭＩ受信部３１２Ａ，３１２Ｂで得られた映像（画像）データを、グラフィックスデータの重畳等の処理を施した後に、ＨＤＭＩ送信部３１５に供給する。これにより、オーディオアンプ３１０はリピータ機能を発揮する。
【０２０６】
ＣＰＵ３２５は、オーディオアンプ３１０の各部の動作を制御する。フラッシュＲＯＭ３２６は、制御ソフトウェアの格納およびデータの保管を行う。ＤＲＡＭ３２７は、ＣＰＵ３２５のワークエリアを構成する。ＣＰＵ３２５は、フラッシュＲＯＭ３２６から読み出したソフトウェアやデータをＤＲＡＭ３２７上に展開してソフトウェアを起動させ、オーディオアンプ３１０の各部を制御する。ＣＰＵ３２５、フラッシュＲＯＭ３２６、ＤＲＡＭ３２７およびイーサネットインタフェース３２３は、内部バス３２４に接続されている。
【０２０７】
赤外線送信回路３２９は、ＣＰＵ３２５の制御のもと、赤外線送信部３３０を駆動して、赤外線信号を発生させる。赤外線送信部３３０は、例えば、赤外線発光素子により構成されている。
【０２０８】
図１８に示すＡＶアンプ３１０の動作を簡単に説明する。
【０２０９】
ＨＤＭＩ受信部３１２Ａ，３１２Ｂでは、ＨＤＭＩケーブルを通じてＨＤＭＩ端子３１１Ａ，３１１Ｂに入力される映像（画像）データおよび音声データが取得される。この映像データおよび音声データは、それぞれ、映像・グラフィック処理回路３１８および音声処理回路３１９を介して、ＨＤＭＩ送信部３１５に供給され、ＨＤＭＩ端子３１４に接続されたＨＤＭＩケーブルを介して送信される。
【０２１０】
また、ＨＤＭＩ端子３１１Ａ，３１１Ｂから高速データラインインタフェース３１３Ａ，３１３Ｂを介してイーサネットインタフェース３２３に供給される、暗号化されている音声データのＴＳパケットはＤＴＣＰ回路３２２で復号化される。そして、ＭＰＥＧデコーダでは、ＤＴＣＰ回路３２２で得られる音声データのＰＥＳパケットに対してデコード処理が施されて音声データが得られる。
【０２１１】
ＨＤＭＩ受信部３１２Ａ，３１２Ｂで受信された音声データ、あるいはＭＰＥＧデコーダ３１７で得られた音声データは、音声処理回路３１９に供給されて、Ｄ／Ａ変換等の必要な処理が施される。そして、ミューティングがオフ状態にあるとき、音声処理回路３１９から出力される各音声信号ＳFL，ＳFR，ＳFC，ＳRL，ＳRRが増幅されて音声出力端子３２１ａ，３２１ｂ，３２１ｃ，３２１ｄ，３２１ｅに出力される。そのため、スピーカ群３５０から音声が出力される。
【０２１２】
図１９は、テレビ受信機２５０ＢにＡＶアンプ３１０が接続され、さらに、このＡＶアンプ３１０にフォトプレーヤ３７０Ｂ′およびディスクレコーダ２１０Ｂが接続される際の動作シーケンスの一例を示している。
【０２１３】
（ａ）テレビ受信機２５０ＢにＨＤＭＩケーブル３９３を介してＡＶプレーヤ３１０が接続されると、（ｂ）ＡＶプレーヤ３１０は、ＨＤＭＩ制御プロトコルを使用して、テレビ受信機２５０Ｂから物理アドレス（Physical Address）[1000]を取得する。
【０２１４】
（ｃ）ＡＶアンプ３１０は、図２６のテーブルに基づいて、ＣＥＣ制御機器のAudio Systemとして論理アドレス｛５｝を決定する。この場合、ＡＶアンプ３１０は、ＣＥＣ制御プロトコルのPolling Messageで他の機器に、この論理アドレス｛５｝を持つ機器が存在しないことを認識した後に、当該論理アドレス｛５｝を自身の論理アドレスとして決定する。
【０２１５】
（ｄ）ＡＶアンプ３１０は、上述したように論理アドレス｛５｝を決定した後、ＣＥＣ制御プロトコルのReport Physical Addressにより、物理アドレス[1000]はＣＥＣ対応機器｛５｝であることを、テレビ受信機２５０Ｂに通知する。
【０２１６】
（ｅ）ＡＶアンプ３１０にＨＤＭＩケーブル３９１を介してフォトプレーヤ３７０Ｂ′が接続されると、（f）フォトプレーヤ３７０Ｂ′は、ＨＤＭＩ制御プロトコルを使用して、ＡＶアンプ３１０から物理アドレス（Physical Address）[1100]を取得する。
【０２１７】
（g）フォトプレーヤ３７０Ｂ′は、自身が再生機器であることから、図２６のテーブルに基づいて、ＣＥＣ制御機器のPlayback Deviceとして論理アドレス｛４｝を決定する。この場合、フォトプレーヤ３７０Ｂ′は、ＣＥＣ制御プロトコルのPolling Messageで他の機器にこの論理アドレス｛４｝を持つ機器が存在しないことを認識した後に、当該論理アドレス｛４｝を自身の論理アドレスとして決定する。
【０２１８】
（ｈ）フォトプレーヤ３７０Ｂ′は、上述したように論理アドレス｛４｝を決定した後、ＣＥＣ制御プロトコルのReport Physical Addressにより、物理アドレス[1100]は、ＣＥＣ対応機器｛４｝であることを、テレビ受信機２５０ＢおよびＡＶアンプ３１０に通知する。
【０２１９】
（ｉ）ＡＶアンプ３１０にＨＤＭＩケーブル３９２を介してディスクレコーダ２１０Ｂが接続されると、（ｊ）ディスクレコーダ２１０Ｂは、ＨＤＭＩ制御プロトコルを使用して、ＡＶアンプ３１０から物理アドレス（Physical Address）[1200]を取得する。ここで、ディスクレコーダ２１０Ｂは、ＣＥＣ非対応機器であるので、ＣＥＣ論理アドレスの決定動作は行わない。
【０２２０】
（ｋ）その後、ユーザにより、ＡＶアンプ３１０に、物理アドレス[1200]は、当該ＡＶアンプ３１０が代わって制御する機器（Recording Device）であることを設定する。図２０は、ＡＶアンプ３１０におけるユーザ設定時の表示例を示している。ＡＶアンプ３１０は、ＨＤＭＩ入力１に係るＨＤＭＩ端子３１１Ａと、ＨＤＭＩ入力２に係るＨＤＭＩ端子３１１Ｂとを備えている。
【０２２１】
図２０の表示では、このＨＤＭＩ入力２に接続されている機器（ディスクレコーダ２１０Ｂ）は赤外線コマンドでコントロールされることが表示されている。ここで、ユーザは、ＨＤＭＩ入力２に接続されている機器（ディスクレコーダ２１０Ｂ）が録画機器（Recording Device）であることを設定できる。この設定動作は、上述したように、ＡＶアンプ３１０に、物理アドレス[1200]は、当該ＡＶアンプ３１０が代わって制御する機器（Recording Device）であることを設定する動作となる。
【０２２２】
（ｍ）ＡＶアンプ３１０は、上述の設定に伴って、図２６のテーブルに基づいて、ＣＥＣ制御機器のRecording Deviceとして論理アドレス｛１｝を決定する。この場合、ＡＶアンプ３１０は、ＣＥＣ制御プロトコルのPolling Messageで他の機器にこの論理アドレス｛１｝を持つ機器が存在しないことを認識した後に、当該論理アドレス｛１｝を論理アドレスとして決定する。
【０２２３】
（ｎ）ＡＶアンプ３１０は、上述したように物理アドレス[1200]に対応した論理アドレス｛１｝を決定した後、ＣＥＣ制御プロトコルのReport Physical Addressにより、物理アドレス[1200]は、ＣＥＣ対応機器｛１｝であることを、テレビ受信機２５０Ｂおよびフォトプレーヤ３７０Ｂ′に通知する。
【０２２４】
図２１は、テレビ受信機２５０Ｂのリモコン送信機２７７で、フォトプレーヤ３７０Ｂ′およびディスクレコーダ２１０Ｂの再生制御を行う際の動作シーケンスの一例を示している。
【０２２５】
(ａ)テレビ受信機２５０Ｂのリモコン送信機２７７でユーザがフォトプレーヤ３７０Ｂへの入力切り替えを行ったとき、（ｂ）テレビ受信機２５０Ｂは、ＣＥＣ制御プロトコルで、入力がテレビ受信機２５０Ｂからフォトプレーヤ３７０Ｂ′に切り替わったことを、SetStreamPath[0000]→[1100]で、接続されているＣＥＣ対応機器に通知する。
【０２２６】
（ｃ）ＡＶアンプ３１０は、この通知に基づいて、入力を、フォトプレーヤ３７０Ｂ′側に切り替える。（ｄ）物理アドレス[1100]のフォトプレーヤ３７０Ｂ′は、この通知に基づいて、自分がActiveになったことを認識し、（ｅ）ＣＥＣの制御がフォトプレーヤ３７０Ｂ′に移ったことを、接続されているＣＥＣ対応機器に、ActiveSource{４}→{Ｆ}で通知する。これにより、テレビ受信機２５０Ｂは、リモコン送信先をフォトプレーヤ３７０Ｂ′に切り替える。
【０２２７】
（ｆ）テレビ受信機２５０Ｂのリモコン送信機２７７でユーザが再生キーを押したとき、（ｇ）テレビ受信機２５０Ｂは、ＣＥＣ制御プロトコルで、UserControlPressed:PB{４}を、接続されているＣＥＣ対応機器に通知する。（ｈ）論理アドレス｛４｝のフォトプレーヤ３７０Ｂは、この通知を検出し、フラッシュメモリの画像を再生し、再生出力を、ＡＶアンプ３１０を介して、テレビ受信機２５０Ｂに送る。これにより、テレビ受信機２５０Ｂに、フラッシュメモリの再生画像が表示される。
【０２２８】
次に、(ｉ)テレビ受信機２５０Ｂのリモコン送信機２７７でユーザがディスクレコーダ２１０Ｂへの入力切り替えを行ったとき、（ｊ）テレビ受信機２５０Ｂは、ＣＥＣ制御プロトコルで、入力がフォトプレーヤ３７０Ｂ′からディスクレコーダ２１０Ｂに切り替わったことを、SetStreamPath[1100]→[1200]で、接続されているＣＥＣ対応機器に通知する。
【０２２９】
（ｋ）ＡＶアンプ３１０は、この通知に基づいて、入力を、ディスクレコーダ２１０Ｂ側に切り替える。また、（ｍ）物理アドレス[1200]に対するＣＥＣ制御は、ＡＶアンプ３１０がディスクレコーダ２１０Ｂの代わりに行うため、ＡＶアンプ３１０は、この通知に基づいて、ＣＥＣの制御が仮想的にディスクレコーダ２１０Ｂに移ったことを、接続されているＣＥＣ対応機器に、ActiveSource{１}→{Ｆ}で通知する。（ｐ）これにより、フォトプレーヤ３７０Ｂ′は、自分がActiveでなくなったことを認識する。またテレビ受信機２５０Ｂは、リモコン送信先をディスクレコーダ２１０Ｂに切り替える。
【０２３０】
（ｑ）テレビ受信機２５０Ｂのリモコン送信機２７７でユーザが再生キーを押したとき、（ｒ）テレビ受信機２５０Ｂは、ＣＥＣ制御プロトコルで、UserControlPressed:PB{１}を、接続されているＣＥＣ対応機器に通知する。（ｓ）論理アドレス｛１｝に対する制御はＡＶアンプ３１０がディスクレコーダ２１０Ｂの代わりに行うために、ＡＶアンプ３１０は、この通知を検出する。そして、ＡＶアンプ３１０は、ＣＥＣの再生制御コマンドを、赤外リモコンコマンドに変換して赤外線で送信することで、ＣＥＣ非対応のディスクレコーダ２１０Ｂに通知する。
【０２３１】
（ｔ）ディスクレコーダ２１０Ｂは、この通知を検出し、ディスクに記録されている画像を再生し、再生出力を、ＡＶアンプ３１０を介して、テレビ受信機２５０Ｂに送る。これにより、テレビ受信機２５０Ｂに、ディスクの再生画像が表示される。
【０２３２】
図２２は、テレビ受信機２５０Ｂのリモコン送信機２７７を使用した、上述のディスクレコーダ２１０Ｂの再生制御の経路を破線で示している。
【０２３３】
以上説明したように、図１７に示すＡＶシステム１００″においては、ユーザがテレビ受信機２５０Ｂのリモコン送信機２７７を用いて、ＣＥＣ非対応機器であるディスクレコーダ２１０Ｂの操作を行った場合、テレビ受信機２５０Ｂから、ディスクレコーダ２１０Ｂを宛先とするＣＥＣ制御コマンドが発生される。そして、ＡＶアンプ３１０において当該ＣＥＣ制御コマンドが赤外リモコンコマンドに変換されて、ディスクレコーダ２１０Ｂに送信される。したがって、図１７に示すＡＶシステム１００″においては、テレビ受信機２５０Ｂのリモコン送信機２７７を用いて、当該テレビ受信機２５０ＢにＡＶアンプ３１０を介して接続されているＣＥＣ非対応機器であるディスクレコーダ２１０Ｂの動作を制御できる。
【０２３４】
なお、図１７に示す実施の形態においては、ＡＶアンプ３１０は、ディスクレコーダ２１０Ｂを宛先とするＣＥＣ制御コマンドを赤外リモコンコマンドに変換してディスクレコーダ２１０Ｂに送信するものを示した。しかし、ＡＶアンプ３１０は、ＣＥＣ制御コマンドを所定の形式の制御信号に変換し、この制御信号を、図２３に示すように、ＨＤＭＩケーブル３９２のリザーブラインおよびＨＰＤラインで構成される双方向通信路を介してディスクレコーダ２１０Ｂに送信する、ようにしてもよい。この場合、ＡＶアンプ３１０においては、赤外線送信回路３２９および赤外線送信部３３０は不要となる。また、この場合、ディスクレコーダ２１０Ｂにおいては、赤外線受信部２３１は不要となる。
【０２３５】
なお、上述実施の形態においては、シンク機器がテレビ受信機２５０Ｂ，２５０Ｂ′であり、ソース機器がフォトプレーヤ３７０Ｂ，３７０Ｂ′、ディスクレコーダ２１０Ｂであるものを示したが、この発明の適用範囲は、これらの機器に限定されるものではない。また、上述の実施の形態においては、各機器をＨＤＭＩケーブルで接続する例を示したが、各機器を接続する伝送路は有線に限定されるものではなく、無線伝送路であってもよい。
【符号の説明】
【０２３６】
１００，１００′，１００″・・・ＡＶシステム、２１０Ｂ・・・ディスクレコーダ、２１１・・・ＨＤＭＩ端子、２１２・・・ＨＤＭＩ送信部、２１３・・・高速データラインインタフェース、２３１・・・赤外線受信部、２５０Ｂ，２５０Ｂ′・・・テレビ受信機、２５１，２５４・・・ＨＤＭＩ端子、２５２，２５５・・・ＨＤＭＩ受信部、２５３，２５６・・・高速データラインインタフェース、２７６・・・赤外線受信部、２７７・・・リモコン送信機、２７８・・・赤外線送信部、３１０・・・ＡＶアンプ、３１１Ａ，３１１Ｂ，３１４・・・ＨＤＭＩ端子、３３０・・・赤外線送信部、３７０Ｂ，３７０Ｂ′、・・・フォトプレーヤ、３７１・・・ＨＤＭＩ端子、３７２・・・ＨＤＭＩ送信部、３７３・・・高速データラインインタフェース、３８４・・・赤外線送信部、３９１，３９２，３９３・・・ＨＤＭＩケーブル
【要約】
【課題】受信装置との間における通信を良好に行い得るようにする。
【解決手段】データ送信部により、一の垂直同期信号から次の垂直同期信号までの区間から、水平帰線区間および垂直帰線区間を除いた区間である有効画像区間において、非圧縮の１画面分の画像の画素データを、第１の差動信号により、受信装置に一方向に送信する。信号送信部により、送信するデータであって画素データとは異なる第２の差動信号を、第１の信号線および第２の信号線の一対からなる差動伝送路を介して受信装置に送信する。信号送信部と接続された信号受信部により、受信装置から第１の信号線および第２の信号線を介して送信された第３の差動信号を受信する。そして、減算部により、信号受信部が受信した信号から、第２の差動信号を減算する。また、アドレス送信部により、ＣＥＣ制御プロトコルのReport Physical Addressにより、受信装置に、物理アドレスと論理アドレスを送信する。
【選択図】図９【図１】
0005477506.tif 000002
【図２】
0005477506.tif 000003
【図３】
0005477506.tif 000004
【図４】
0005477506.tif 000005
【図５】
0005477506.tif 000006
【図６】
0005477506.tif 000007
【図７】
0005477506.tif 000008
【図８】
0005477506.tif 000009
【図９】
0005477506.tif 000010
【図１０】
0005477506.tif 000011
【図１１】
0005477506.tif 000012
【図１２】
0005477506.tif 000013
【図１３】
0005477506.tif 000014
【図１４】
0005477506.tif 000015
【図１５】
0005477506.tif 000016
【図１６】
0005477506.tif 000017
【図１７】
0005477506.tif 000018
【図１８】
0005477506.tif 000019
【図１９】
0005477506.tif 000020
【図２０】
0005477506.tif 000021
【図２１】
0005477506.tif 000022
【図２２】
0005477506.tif 000023
【図２３】
0005477506.tif 000024
【図２４】
0005477506.tif 000025
【図２５】
0005477506.tif 000026
【図２６】
0005477506.tif 000027
【図２７】
0005477506.tif 000028
【図２８】
0005477506.tif 000029
【図２９】
0005477506.tif 000030
【図３０】
0005477506.tif 000031
【図３１】
0005477506.tif 000032